(57)【要約】  ワイヤレス通信のための方法、システム、およびデバイスが説明される。基地局は、システム帯域幅の一部分を占有する狭帯域共通制御領域を使用して制御情報を送信してよい。場合によっては、データは、共通制御領域によって使用されていないトーンにおいて、同じ時間期間の間、多重化されてよい。基地局は、共通制御領域の帯域幅、中心周波数、および多重化ステータスなどの制御領域構成情報を、1つまたは複数のユーザ機器(UE)デバイスへ送信してよい。場合によっては、共通制御領域はサブバンドに分割されてよく、異なるUEが異なるサブバンドを監視するように割り当てられてよい。非割当てUEは、デフォルトのアンカーサブバンドを監視してよい。
2019503131.tif 000002
【特許請求の範囲】
【請求項１】
ワイヤレス通信の方法であって、
共通制御領域の帯域幅および関連する周波数−時間ヌメロロジーもしくは前記共通制御領域の中心周波数の表示、またはデータ多重化表示を備える、制御領域情報を受信するステップであって、前記共通制御領域の前記帯域幅がシステム帯域幅の少なくとも一部分を備える、ステップと、
前記制御領域情報に少なくとも部分的に基づいて前記共通制御領域を監視するステップと
を備える、方法。
【請求項２】
制御領域情報を受信するステップが、
ユーザ機器(UE)に関連する帯域幅が前記システム帯域幅よりも狭いという表示を受信するステップ
を備える、請求項1に記載の方法。
【請求項３】
前記データ多重化表示に少なくとも部分的に基づいて前記共通制御領域のシンボル期間の間にユーザデータを受信するステップであって、前記ユーザデータが、前記共通制御領域の前記帯域幅とは異なる前記システム帯域幅の部分を使用して受信される、ステップ
をさらに備える、請求項1に記載の方法。
【請求項４】
前記シンボル期間が、サブフレームの第1のシンボル期間、第2のシンボル期間、第3のシンボル期間、または第4のシンボル期間を備え、前記システム帯域幅の前記異なる部分が、前記共通制御領域の前記帯域幅よりも狭い帯域幅を備える、請求項3に記載の方法。
【請求項５】
前記制御領域情報が、ブロードキャストメッセージまたは共通制御チャネル(CCCH)の中で受信される、請求項1に記載の方法。
【請求項６】
共通制御領域更新メッセージを受信するステップ
をさらに備える、請求項1に記載の方法。
【請求項７】
前記共通制御領域更新メッセージが、ユーザ機器(UE)固有の制御チャネルまたは無線リソース制御(RRC)構成メッセージを使用して受信される、請求項6に記載の方法。
【請求項８】
前記共通制御領域を監視するステップが、
前記共通制御領域のアンカーサブバンドを監視するステップ
を備える、請求項1に記載の方法。
【請求項９】
前記制御領域情報が、前記アンカーサブバンドのロケーションを備える、請求項8に記載の方法。
【請求項１０】
前記制御領域情報が、複数の制御領域サブバンド、前記複数の制御領域サブバンドの各々に対する帯域幅、前記複数の制御領域サブバンドの各々に対する周波数、またはそれらの任意の組合せの表示を備える、請求項8に記載の方法。
【請求項１１】
前記共通制御領域のサブバンドを示す割当てメッセージを受信するステップと、
前記割当てメッセージに少なくとも部分的に基づいて前記サブバンドを監視するステップと
をさらに備える、請求項1に記載の方法。
【請求項１２】
ワイヤレス通信の方法であって、
共通制御領域の帯域幅および関連する周波数−時間ヌメロロジーもしくは前記共通制御領域の中心周波数の表示、またはデータ多重化表示を備える、制御領域情報を送信するステップであって、前記共通制御領域の前記帯域幅がシステム帯域幅の少なくとも一部分を備える、ステップと、
前記共通制御領域を使用して制御情報を少なくとも1つのユーザ機器(UE)へ送信するステップと
を備える、方法。
【請求項１３】
制御領域情報を送信するステップが、
前記少なくとも1つのUEに関連する帯域幅が前記システム帯域幅よりも狭いという表示を送信するステップ
を備える、請求項12に記載の方法。
【請求項１４】
前記データ多重化表示に少なくとも部分的に基づいて前記共通制御領域のシンボル期間の間にユーザデータを前記少なくとも1つのUEへ送信するステップであって、前記ユーザデータが、前記共通制御領域の前記帯域幅とは異なる、前記システム帯域幅の部分を使用して送信される、ステップ
をさらに備える、請求項12に記載の方法。
【請求項１５】
前記シンボル期間が、サブフレームの第1のシンボル期間、第2のシンボル期間、第3のシンボル期間、または第4のシンボル期間を備え、前記システム帯域幅の前記異なる部分が、前記共通制御領域の前記帯域幅よりも狭い帯域幅を備える、請求項16に記載の方法。
【請求項１６】
前記制御領域情報が、ブロードキャストメッセージまたは共通制御チャネル(CCCH)の中で送信される、請求項12に記載の方法。
【請求項１７】
共通制御領域更新メッセージを前記少なくとも1つのUEへ送信するステップ
をさらに備える、請求項12に記載の方法。
【請求項１８】
前記共通制御領域更新メッセージが、UE固有の制御チャネルまたは無線リソース制御(RRC)構成メッセージを使用して送信される、請求項17に記載の方法。
【請求項１９】
前記制御情報が、前記共通制御領域のアンカーサブバンドを使用して送信される、請求項12に記載の方法。
【請求項２０】
前記制御領域情報が、前記アンカーサブバンドのロケーションを備える、請求項19に記載の方法。
【請求項２１】
前記制御領域情報が、複数の制御領域サブバンド、前記複数の制御領域サブバンドの各々に対する帯域幅、前記複数の制御領域サブバンドの各々に対する周波数、またはそれらの任意の組合せの表示を備える、請求項19に記載の方法。
【請求項２２】
前記共通制御領域のサブバンドを示すサブバンド割当てメッセージを送信するステップであって、前記制御情報が、前記サブバンドを使用して送信される、ステップ
をさらに備える、請求項12に記載の方法。
【請求項２３】
ワイヤレス通信のための装置であって、
共通制御領域の帯域幅および関連する周波数−時間ヌメロロジーもしくは前記共通制御領域の中心周波数の表示、またはデータ多重化表示を備える、制御領域情報を受信するための手段であって、前記共通制御領域の前記帯域幅がシステム帯域幅の少なくとも一部分を備える、手段と、
前記制御領域情報に少なくとも部分的に基づいて前記共通制御領域を監視するための手段と
を備える、装置。
【請求項２４】
ユーザ機器(UE)に関連する帯域幅が前記システム帯域幅よりも狭いという表示を受信するための手段
をさらに備える、請求項23に記載の装置。
【請求項２５】
前記データ多重化表示に少なくとも部分的に基づいて前記共通制御領域のシンボル期間の間にユーザデータを受信するための手段であって、前記ユーザデータが、前記共通制御領域の前記帯域幅とは異なる前記システム帯域幅の部分を使用して受信される、手段
をさらに備える、請求項23に記載の装置。
【請求項２６】
前記制御領域情報が、ブロードキャストメッセージまたは共通制御チャネル(CCCH)の中で受信される、請求項23に記載の装置。
【請求項２７】
ワイヤレス通信のための装置であって、
共通制御領域の帯域幅および関連する周波数−時間ヌメロロジーもしくは前記共通制御領域の中心周波数の表示、またはデータ多重化表示を備える、制御領域情報を送信するための手段であって、前記共通制御領域の前記帯域幅がシステム帯域幅の少なくとも一部分を備える、手段と、
前記共通制御領域を使用して制御情報を少なくとも1つのユーザ機器(UE)へ送信するための手段と
を備える、装置。
【請求項２８】
前記少なくとも1つのUEに関連する帯域幅が前記システム帯域幅よりも狭いという表示を送信するための手段
をさらに備える、請求項27に記載の装置。
【請求項２９】
前記データ多重化表示に少なくとも部分的に基づいて前記共通制御領域のシンボル期間の間にユーザデータを前記少なくとも1つのUEへ送信するための手段であって、前記ユーザデータが、前記共通制御領域の前記帯域幅とは異なる前記システム帯域幅の部分を使用して送信される、手段
をさらに備える、請求項27に記載の装置。
【請求項３０】
前記制御領域情報が、ブロードキャストメッセージまたは共通制御チャネル(CCCH)の中で送信される、請求項27に記載の装置。
【発明の詳細な説明】
【技術分野】
【０００１】
相互参照
本特許出願は、その各々が本出願の譲受人に譲渡される、2016年9月16日に出願した"Common Control Channel Subband Design and Signaling"と題するAngらによる米国特許出願第15/268,450号、および2015年12月18日に出願した"Common Control Channel Subband Design And Signaling"と題するAngらによる米国仮特許出願第62/269,853号の優先権を主張する。
【０００２】
以下は、一般にワイヤレス通信に関し、より詳細には狭帯域共通制御チャネルサブバンド設計およびシグナリングに関する。
【背景技術】
【０００３】
ワイヤレス通信システムは、音声、ビデオ、パケットデータ、メッセージング、放送などの、様々なタイプの通信コンテンツを提供するために広く展開されている。これらのシステムは、利用可能なシステムリソース(たとえば、時間、周波数、および電力)を共有することによって、複数のユーザとの通信をサポートすることが可能であってよい。そのような多元接続システムの例は、符号分割多元接続(CDMA)システム、時分割多元接続(TDMA)システム、周波数分割多元接続(FDMA)システム、および直交周波数分割多元接続(OFDMA)システムを含む。ワイヤレス多元接続通信システムは、場合によってはユーザ機器(UE:user equipment)と呼ばれることがある複数の通信デバイスのための通信を各々が同時にサポートするいくつかの基地局を含んでよい。
【０００４】
場合によっては、基地局は、共通制御領域の中のワイヤレスリソースを使用して制御情報をUEへ送信してよい。しかしながら、送信されるべき制御情報の量は、キャリアの帯域幅全体を占有しないことがある。さらに、制御領域の持続時間を変化させることは、追加の処理複雑度をもたらすことがある。したがって、帯域全体にわたって制御領域を送信することは、スループットを低下させることがあり、または処理および電力消費を増大させることがある。
【発明の概要】
【課題を解決するための手段】
【０００５】
ワイヤレス通信の方法が説明される。本方法は、共通制御領域の帯域幅および関連する周波数−時間ヌメロロジー(たとえば、サブキャリア間隔およびシンボル期間)もしくは共通制御領域の中心周波数の表示、またはデータ多重化表示を備える、制御領域情報を受信するステップであって、共通制御領域の帯域幅がシステム帯域幅の少なくとも一部分を備える、ステップと、制御領域情報に少なくとも部分的に基づいて共通制御領域を監視するステップとを含んでよい。
【０００６】
ワイヤレス通信のための装置が説明される。本装置は、共通制御領域の帯域幅および関連する周波数−時間ヌメロロジーもしくは共通制御領域の中心周波数の表示、またはデータ多重化表示を備える、制御領域情報を受信するための手段であって、共通制御領域の帯域幅がシステム帯域幅の少なくとも一部分を備える、手段と、制御領域情報に少なくとも部分的に基づいて共通制御領域を監視するための手段とを含んでよい。
【０００７】
さらなる装置が説明される。本装置は、プロセッサと、プロセッサと電子通信しているメモリと、メモリに記憶された命令とを含んでよい。本命令は、プロセッサに、共通制御領域の帯域幅および関連する周波数−時間ヌメロロジーもしくは共通制御領域の中心周波数の表示、またはデータ多重化表示を備える、制御領域情報を受信することであって、共通制御領域の帯域幅がシステム帯域幅の少なくとも一部分を備える、受信することと、制御領域情報に少なくとも部分的に基づいて共通制御領域を監視することとをさせるように動作可能であってよい。
【０００８】
ワイヤレス通信のための非一時的コンピュータ可読媒体が説明される。非一時的コンピュータ可読媒体は、プロセッサに、共通制御領域の帯域幅および関連する周波数−時間ヌメロロジーもしくは共通制御領域の中心周波数の表示、またはデータ多重化表示を備える、制御領域情報を受信することであって、共通制御領域の帯域幅がシステム帯域幅の少なくとも一部分を備える、受信することと、制御領域情報に基づいて共通制御領域を監視することとをさせる命令を含んでよい。
【０００９】
上記で説明した方法、装置、または非一時的コンピュータ可読媒体のいくつかの例は、データ多重化表示に基づいて共通制御領域のシンボル期間の間にユーザデータを受信するためのプロセス、機能、手段、または命令をさらに含んでよく、ここで、ユーザデータは、共通制御領域の帯域幅とは異なる、システム帯域幅の一部分を使用して受信される。場合によっては、シンボル期間は、サブフレームの第1のシンボル期間、第2のシンボル期間、第3のシンボル期間、または第4のシンボル期間を備え、システム帯域幅の異なる部分は、共通制御領域の帯域幅よりも狭い帯域幅を備える。データ多重化表示は、制御領域およびデータ領域を指定する情報を含んでよい。たとえば、データ多重化表示は、(たとえば、所与のUEのために、または複数のUEのために)制御領域またはデータ領域に対して割り振られたサブキャリアの範囲を表す情報を含んでよい。
【００１０】
上記で説明した方法、装置、または非一時的コンピュータ可読媒体のいくつかの例では、制御領域情報は、ブロードキャストメッセージまたは共通制御チャネル(CCCH:common control channel)の中で受信される。ブロードキャストメッセージは、物理ブロードキャストチャネル(PBCH:physical broadcast channel)上で搬送されるマスタ情報ブロック(MIB:master information block)および/またはシステム情報ブロック(SIB:system information block)などの、論理チャネルの一部であってよい。上記で説明した方法、装置、または非一時的コンピュータ可読媒体のいくつかの例は、共通制御領域更新メッセージを受信するためのプロセス、機能、手段、または命令をさらに含んでよい。
【００１１】
上記で説明した方法、装置、または非一時的コンピュータ可読媒体のいくつかの例では、共通制御領域更新メッセージは、UE固有の制御チャネルまたは無線リソース制御(RRC:radio resource control)構成メッセージを使用して受信される。上記で説明した方法、装置、または非一時的コンピュータ可読媒体のいくつかの例では、共通制御領域を監視することは、共通制御領域のアンカーサブバンドを監視することを備える。
【００１２】
上記で説明した方法、装置、または非一時的コンピュータ可読媒体のいくつかの例では、制御領域情報は、アンカーサブバンドのロケーションを備える。上記で説明した方法、装置、または非一時的コンピュータ可読媒体のいくつかの例では、制御領域情報は、複数の制御領域サブバンド、複数の制御領域サブバンドの各々に対する帯域幅、複数の制御領域サブバンドの各々に対する周波数、またはそれらの任意の組合せの表示を備える。
【００１３】
上記で説明した方法、装置、または非一時的コンピュータ可読媒体のいくつかの例は、共通制御領域のサブバンドを示す割当てメッセージを受信するためのプロセス、機能、手段、または命令をさらに含んでよい。上記で説明した方法、装置、または非一時的コンピュータ可読媒体のいくつかの例は、制御領域サブバンド割当てに基づいてサブバンドを監視するためのプロセス、機能、手段、または命令をさらに含んでよい。
【００１４】
ワイヤレス通信の方法が説明される。本方法は、共通制御領域の帯域幅および関連する周波数−時間ヌメロロジーもしくは共通制御領域の中心周波数の表示、またはデータ多重化表示を備える、制御領域情報を送信するステップであって、共通制御領域の帯域幅がシステム帯域幅の少なくとも一部分を備える、ステップと、共通制御領域を使用して制御情報を少なくとも1つのUEへ送信するステップとを含んでよい。
【００１５】
ワイヤレス通信のための装置が説明される。本装置は、共通制御領域の帯域幅および関連する周波数−時間ヌメロロジーもしくは共通制御領域の中心周波数の表示、またはデータ多重化表示を備える、制御領域情報を送信するための手段であって、共通制御領域の帯域幅がシステム帯域幅の少なくとも一部分を備える、手段と、共通制御領域を使用して制御情報を少なくとも1つのUEへ送信するための手段とを含んでよい。
【００１６】
さらなる装置が説明される。本装置は、プロセッサと、プロセッサと電子通信しているメモリと、メモリに記憶された命令とを含んでよい。本命令は、プロセッサに、共通制御領域の帯域幅および関連する周波数−時間ヌメロロジーもしくは共通制御領域の中心周波数の表示、またはデータ多重化表示を備える、制御領域情報を送信することであって、共通制御領域の帯域幅がシステム帯域幅の少なくとも一部分を備える、送信することと、共通制御領域を使用して制御情報を少なくとも1つのUEへ送信することとをさせるように動作可能であってよい。
【００１７】
ワイヤレス通信のための非一時的コンピュータ可読媒体が説明される。非一時的コンピュータ可読媒体は、プロセッサに、共通制御領域の帯域幅および関連する周波数−時間ヌメロロジーもしくは共通制御領域の中心周波数の表示、またはデータ多重化表示を備える、制御領域情報を送信することであって、共通制御領域の帯域幅がシステム帯域幅の少なくとも一部分を備える送信することと、共通制御領域を使用して制御情報を少なくとも1つのUEへ送信することとをさせる命令を含んでよい。
【００１８】
上記で説明した方法、装置、または非一時的コンピュータ可読媒体のいくつかの例は、データ多重化表示に基づいて共通制御領域のシンボル期間の間にユーザデータを少なくとも1つのUEへ送信するためのプロセス、機能、手段、または命令をさらに含んでよく、ここで、ユーザデータは、共通制御領域の帯域幅とは異なる、システム帯域幅の一部分を使用して送信される。場合によっては、シンボル期間は、サブフレームの第1のシンボル期間、第2のシンボル期間、第3のシンボル期間、または第4のシンボル期間を備え、システム帯域幅の異なる部分は、共通制御領域の帯域幅よりも狭い帯域幅を備える。
【００１９】
上記で説明した方法、装置、または非一時的コンピュータ可読媒体のいくつかの例では、制御領域情報は、ブロードキャストメッセージまたはCCCHの中で送信される。ブロードキャストメッセージは、PBCH上で搬送されるMIBおよび/またはSIBなどの、論理チャネルの一部であってよい。上記で説明した方法、装置、または非一時的コンピュータ可読媒体のいくつかの例は、共通制御領域更新メッセージを少なくとも1つのUEへ送信するためのプロセス、機能、手段、または命令をさらに含んでよい。
【００２０】
上記で説明した方法、装置、または非一時的コンピュータ可読媒体のいくつかの例では、共通制御領域更新メッセージは、UE固有の制御チャネルまたはRRC構成メッセージを使用して送信される。上記で説明した方法、装置、または非一時的コンピュータ可読媒体のいくつかの例では、制御情報は、共通制御領域のアンカーサブバンドを使用して送信される。
【００２１】
上記で説明した方法、装置、または非一時的コンピュータ可読媒体のいくつかの例では、制御領域情報は、アンカーサブバンドのロケーションを備える。上記で説明した方法、装置、または非一時的コンピュータ可読媒体のいくつかの例では、制御領域情報は、複数の制御領域サブバンド、複数の制御領域サブバンドの各々に対する帯域幅および関連する周波数−時間ヌメロロジー、複数の制御領域サブバンドの各々に対する周波数、またはそれらの任意の組合せの表示を備える。
【００２２】
上記で説明した方法、装置、または非一時的コンピュータ可読媒体のいくつかの例は、共通制御領域のサブバンドを示すサブバンド割当てメッセージを送信するためのプロセス、機能、手段、または命令をさらに含んでよく、ここで、制御情報は、サブバンドを使用して送信される。
【図面の簡単な説明】
【００２３】
【図１】本開示の1つまたは複数の態様による狭帯域CCCHサブバンド設計およびシグナリングをサポートするワイヤレス通信システムの例を示す図である。
【図２】本開示の1つまたは複数の態様による狭帯域CCCHサブバンド設計およびシグナリングをサポートするワイヤレス通信システムの例を示す図である。
【図３】本開示の1つまたは複数の態様による狭帯域CCCHサブバンド設計およびシグナリングをサポートする物理レイヤ構造の例を示す図である。
【図４】本開示の1つまたは複数の態様による狭帯域CCCHサブバンド設計およびシグナリングをサポートする物理レイヤ構造の例を示す図である。
【図５】本開示の1つまたは複数の態様による狭帯域CCCHサブバンド設計およびシグナリングをサポートする物理レイヤ構造の例を示す図である。
【図６】本開示の1つまたは複数の態様による狭帯域CCCHサブバンド設計およびシグナリングをサポートする物理レイヤ構造の例を示す図である。
【図７】本開示の1つまたは複数の態様による狭帯域CCCHサブバンド設計およびシグナリングをサポートするワイヤレスデバイスのブロック図である。
【図８】本開示の1つまたは複数の態様による狭帯域CCCHサブバンド設計およびシグナリングをサポートするワイヤレスデバイスのブロック図である。
【図９】本開示の1つまたは複数の態様による狭帯域CCCHサブバンド設計およびシグナリングをサポートするワイヤレスデバイスのブロック図である。
【図１０】本開示の1つまたは複数の態様による狭帯域CCCHサブバンド設計およびシグナリングをサポートするUEを含むシステムのブロック図である。
【図１１】本開示の1つまたは複数の態様による狭帯域CCCHサブバンド設計およびシグナリングをサポートするワイヤレスデバイスのブロック図である。
【図１２】本開示の1つまたは複数の態様による狭帯域CCCHサブバンド設計およびシグナリングをサポートするワイヤレスデバイスのブロック図である。
【図１３】本開示の1つまたは複数の態様による狭帯域CCCHサブバンド設計およびシグナリングをサポートするワイヤレスデバイスのブロック図である。
【図１４】本開示の1つまたは複数の態様による狭帯域CCCHサブバンド設計およびシグナリングをサポートする基地局を含むシステムのブロック図である。
【図１５】本開示の1つまたは複数の態様による狭帯域CCCHサブバンド設計およびシグナリングのための方法を示す図である。
【図１６】本開示の1つまたは複数の態様による狭帯域CCCHサブバンド設計およびシグナリングのための方法を示す図である。
【図１７】本開示の1つまたは複数の態様による狭帯域CCCHサブバンド設計およびシグナリングのための方法を示す図である。
【図１８】本開示の1つまたは複数の態様による狭帯域CCCHサブバンド設計およびシグナリングのための方法を示す図である。
【図１９】本開示の1つまたは複数の態様による狭帯域CCCHサブバンド設計およびシグナリングのための方法を示す図である。
【発明を実施するための形態】
【００２４】
CCCH領域をダウンリンク(DL)データと多重化することは、制御領域によって占有されない帯域幅のより効率的な使用を可能にすることがある。基地局は、任意の所与の時間において制御領域とデータ領域との間で送信電力を分配してよい。厳しいリンクバジェットを伴う環境では、電力のほとんどまたはすべてが、制御領域のために使用されてよい。
【００２５】
基地局は、データ多重化を可能にする共通制御領域のための構成情報をシグナリングしてよい。シグナリング情報は、周波数領域における制御領域の広がり(すなわち、帯域幅および中心周波数)、および制御とデータとの多重化が可能にされているかどうかという表示を含んでよい。場合によっては、シグナリング情報はまた、1つまたは複数のUEのための共通制御領域またはデータ領域に関連する、周波数−時間ヌメロロジー(たとえば、サブキャリア間隔およびシンボル期間)の表示を含んでよい。
【００２６】
共通制御領域を複数のサブバンドに分割することは、異なるUEが専用の制御チャネルサブバンドを使用することを可能にすることがある。このことは、UEにおける制御チャネル処理を簡略化することがある。所与のUEのための制御チャネル容量は、複数のサブバンドを割り当てることによって、処理複雑度に著しく影響を及ぼすことなく拡大されてよい。場合によっては、サブバンドのうちの1つがアンカーサブバンドとして指定されてよい。アンカーサブバンドは、セル固有またはネットワーク固有の設定に基づいて割り当てられてよい。たとえば、場合によっては、中心サブバンドがアンカーサブバンドとして指定されてよい。UEは、別のサブバンドに明示的に割り当てられていないとき(たとえば、アイドルモードにおけるUE)、デフォルトでアンカーサブバンドを使用してよい。
【００２７】
基地局は、明示的なシグナリングを使用してサブバンドを構成してよい。たとえば、基地局は、割り当てられたサブバンドを示すサブバンド割当て情報を各UEへ送信してよい。全体的なサブバンド構成に関係する情報(たとえば、有効にされたサブバンドの数、アンカーサブバンドのロケーション、データ多重化のステータスなど)も、基地局によって送信されてよい。場合によっては、個々のサブバンドの帯域幅および関連する周波数−時間ヌメロロジー(たとえば、サブキャリア間隔およびシンボル期間)が、基地局によって送信されてよく、異なるサブバンド間で変化することがある。
【００２８】
基地局は、システム帯域幅の一部分を占有する狭帯域共通制御領域を使用して制御情報を送信してよい。場合によっては、データは、共通制御領域によって使用されていないトーンにおいて、同じ時間期間の間、多重化されてよい。基地局は、共通制御領域の帯域幅および関連する周波数−時間ヌメロロジー、中心周波数、ならびに多重化ステータスなどの、制御領域構成情報を1つまたは複数のUEへ送信してよい。場合によっては、共通制御領域はサブバンドに分割されてよく、異なるUEが異なるサブバンドを監視するように割り当てられてよい。非割当てUEは、デフォルトのアンカーサブバンドを監視してよい。
【００２９】
本開示の態様は、最初にワイヤレス通信システムのコンテキストで説明される。共通制御領域設計のための物理レイヤ構造の例が、次いで説明される。本開示の態様はさらに、狭帯域CCCHサブバンド設計およびシグナリングに関係する装置図、システム図、およびフローチャートによって図示され、それらを参照しながら説明される。
【００３０】
図1は、本開示の様々な態様によるワイヤレス通信システム100の一例を示す。ワイヤレス通信システム100は、ネットワークアクセスデバイス105、UE115、およびコアネットワーク130を含んでよい。ワイヤレス通信システム100は、データ多重化を用いた動的な狭帯域共通制御領域をサポートするシステムの一例であってよい。
【００３１】
コアネットワーク130は、ユーザ認証、アクセス許可、トラッキング、インターネットプロトコル(IP)接続性、および他のアクセス、ルーティング、またはモビリティ機能を提供してよい。ネットワークアクセスデバイス105(たとえば、eNBもしくは基地局の一例であってよいネットワークアクセスデバイス105-a、またはアクセスノードコントローラ(ANC:access node controller)の一例であってよいネットワークアクセスデバイス105-b)のうちの少なくともいくつかは、バックホールリンク132(たとえば、S1、S2など)を通じてコアネットワーク130とインターフェースしてよく、UE115との通信のための無線構成およびスケジューリングを実行してよい。様々な例では、ネットワークアクセスデバイス105-bは、直接的または間接的(たとえば、コアネットワーク130を通じて)のいずれかで、有線またはワイヤレスの通信リンクであってよいバックホールリンク134(たとえば、X1、X2など)を介して互いに通信してよい。
【００３２】
各ネットワークアクセスデバイス105-bはまた、いくつかの他のネットワークアクセスデバイス105-cを通じていくつかのUE115と通信してよく、ここで、ネットワークアクセスデバイス105-cは、スマートラジオヘッドの一例であってよい。代替構成では、各ネットワークアクセスデバイス105の様々な機能は、様々なネットワークアクセスデバイス105(たとえば、ラジオヘッドおよびアクセスネットワークコントローラ)にわたって分散されてよく、または単一のネットワークアクセスデバイス105(たとえば、基地局)の中に統合されてよい。
【００３３】
マクロセルは、比較的大きい地理的エリア(たとえば、半径数キロメートル)をカバーしてよく、サービスに加入しているUE115によるネットワークプロバイダとの無制限アクセスを可能にしてよい。スモールセルは、マクロセルと比較すると低電力ラジオヘッドまたは基地局を含んでよく、マクロセルと同じまたは異なる周波数帯域において動作してよい。スモールセルは、様々な例によれば、ピコセル、フェムトセル、およびマイクロセルを含んでよい。ピコセルは、比較的小さい地理的エリアをカバーしてよく、サービスに加入しているUE115によるネットワークプロバイダとの無制限アクセスを可能にしてよい。フェムトセルも、比較的小さい地理的エリア(たとえば、自宅)をカバーしてよく、フェムトセルとの関連付けを有するUE115(たとえば、限定加入者グループ(CSG:closed subscriber group)の中のUE、自宅の中のユーザのためのUEなど)による制限付きアクセスを提供してよい。マクロセル用のeNBは、マクロeNBと呼ばれることがある。スモールセル用のeNBは、スモールセルeNB、ピコeNB、フェムトeNB、またはホームeNBと呼ばれることがある。eNBは、1つまたは複数の(たとえば、2つ、3つ、4つなどの)セル(たとえば、コンポーネントキャリア(CC:component carrier))をサポートしてよい。
【００３４】
ワイヤレス通信システム100は、同期動作または非同期動作をサポートしてよい。同期動作の場合、ネットワークアクセスデバイス105-aおよび/またはネットワークアクセスデバイス105-cは、類似のフレームタイミングを有してよく、異なるネットワークアクセスデバイス105-aおよび/またはネットワークアクセスデバイス105-cからの送信は、時間的にほぼ位置合わせされてよい。非同期動作の場合、ネットワークアクセスデバイス105-aおよび/またはネットワークアクセスデバイス105-cは、異なるフレームタイミングを有してよく、異なるネットワークアクセスデバイス105-aおよび/またはネットワークアクセスデバイス105-cからの送信は、時間的に位置合わせされないことがある。本明細書で説明する技法は、同期動作または非同期動作のいずれかのために使用されてよい。
【００３５】
開示する様々な例のうちのいくつかに適応してよい通信ネットワークは、階層化プロトコルスタックに従って動作するパケットベースネットワークであってよい。ユーザプレーンでは、ベアラまたはパケットデータコンバージェンスプロトコル(PDCP)レイヤにおける通信は、IPベースであってよい。無線リンク制御(RLC)レイヤは、場合によっては、論理チャネルを介して通信するために、パケットのセグメント化および再アセンブリを実行してよい。媒体アクセス制御(MAC)レイヤが、優先度処理、およびトランスポートチャネルへの論理チャネルの多重化を実行してよい。MACレイヤはまた、リンク効率を改善するために、ハイブリッド自動再送要求(HARQ)を使用してMACレイヤにおける再送信を行ってよい。制御プレーンでは、RRCプロトコルレイヤが、ユーザプレーンデータのための無線ベアラをサポートする、UE115とネットワークアクセスデバイス105-c、ネットワークアクセスデバイス105-b、またはコアネットワーク130との間のRRC接続の確立、構成、および保守を行ってよい。物理(PHY)レイヤにおいて、トランスポートチャネルが物理チャネルにマッピングされてよい。
【００３６】
UE115は、ワイヤレス通信システム100全体にわたって分散されてよく、各UE115は、固定またはモバイルであってよい。UE115はまた、移動局、加入者局、モバイルユニット、加入者ユニット、ワイヤレスユニット、リモートユニット、モバイルデバイス、ワイヤレスデバイス、ワイヤレス通信デバイス、リモートデバイス、移動加入者局、アクセス端末、モバイル端末、ワイヤレス端末、リモート端末、ハンドセット、ユーザエージェント、モバイルクライアント、クライアント、または何らかの他の好適な用語を含んでよく、または当業者によってそのように呼ばれることがある。UE115は、セルラーフォン、携帯情報端末(PDA)、ワイヤレスモデム、ワイヤレス通信デバイス、ハンドヘルドデバイス、タブレットコンピュータ、ラップトップコンピュータ、コードレスフォン、ワイヤレスローカルループ(WLL)局、インターネットオブエブリシング(IoE:internet of everything)デバイスなどであってよい。UEは、マクロeNB、スモールセルeNB、中継基地局などを含む、様々なタイプのネットワークアクセスデバイス105-a、ネットワークアクセスデバイス105-c、基地局、アクセスポイント、または他のネットワークアクセスデバイスと通信できる場合がある。UEはまた、(たとえば、ピアツーピア(P2P)プロトコルを使用して)他のUEと直接通信できる場合がある。
【００３７】
ワイヤレス通信システム100に示す通信リンク125は、UE115からネットワークアクセスデバイス105-cへのアップリンク(UL)チャネル、および/またはネットワークアクセスデバイス105-cからUE115へのDLチャネルを含んでよい。ダウンリンクチャネルは、順方向リンクチャネルと呼ばれることもあり、アップリンクチャネルは、逆方向リンクチャネルと呼ばれることもある。制御情報およびデータは、様々な技法に従ってULチャネル上またはULチャネル上で多重化されてよい。制御情報およびデータは、たとえば、時分割多重化(TDM)技法、周波数分割多重化(FDM)技法、またはハイブリッドTDM-FDM技法を使用して、DLチャネル上で多重化されてよい。いくつかの例では、DLチャネルの送信時間間隔(TTI:transmission time interval)の間に送信される制御情報は、異なる制御領域の間で(たとえば、共通制御領域と1つまたは複数のUE固有の制御領域との間で)カスケード式に分散されてよい。
【００３８】
データは、論理チャネル、トランスポートチャネル、およびPHYレイヤチャネルに分割されてよい。チャネルはまた、制御チャネルおよびトラフィックチャネルに分類されてよい。論理制御チャネルは、ページング情報のためのページング制御チャネル(PCCH)、ブロードキャストシステム制御情報のためのブロードキャスト制御チャネル(BCCH)、マルチメディアブロードキャストマルチキャストサービス(MBMS)のスケジューリング情報および制御情報を送信するためのマルチキャスト制御チャネル(MCCH)、専用制御情報を送信するための専用制御チャネル(DCCH)、ランダムアクセス情報のためのCCCH、専用UEデータのための専用トラフィックチャネル(DTCH)、ならびにマルチキャストデータのためのマルチキャストトラフィックチャネル(MTCH)を含んでよい。DLトランスポートチャネルは、ブロードキャスト情報のためのブロードキャストチャネル(BCH)、データ転送のためのDL共有チャネル(DL-SCH)、ページング情報のためのページングチャネル(PCH)、およびマルチキャスト送信のためのマルチキャストチャネル(MCH)を含んでよい。ULトランスポートチャネルは、アクセスのためのランダムアクセスチャネル(RACH)、およびデータのためのUL共有チャネル(UL-SCH)を含んでよい。
【００３９】
DL PHYチャネルは、ブロードキャスト情報のためのPBCH、制御フォーマット情報のための物理制御フォーマットインジケータチャネル(PCFICH)、制御情報およびスケジューリング情報のための物理ダウンリンク制御チャネル(PDCCH)、HARQステータスメッセージのための物理HARQインジケータチャネル(PHICH)、ユーザデータのための物理ダウンリンク共有チャネル(PDSCH)、ならびにマルチキャストデータのための物理マルチキャストチャネル(PMCH)を含んでよい。UL PHYチャネルは、アクセスメッセージのための物理ランダムアクセスチャネル(PRACH)、制御データのための物理アップリンク制御チャネル(PUCCH)、およびユーザデータのための物理アップリンク共有チャネル(PUSCH)を含んでよい。
【００４０】
初期セル同期を完了した後、UE115は、ネットワークにアクセスする前に、MIB、またはSIB1およびSIB2などの1つまたは複数のSIBを、PBCH上で復号してよい。MIBは、PBCH上で送信されてよく、各無線フレームの第1のサブフレームの第2のスロットの最初の4個のOFDMAシンボルを利用してよい。MIBは、周波数領域では、中間の6個のリソースブロック(RB:resource block)(72本のサブキャリア)を使用してよい。MIBは、RBに関するDLチャネル帯域幅、PHICH構成(持続時間およびリソース割当て)、およびシステムフレーム番号(SFN:system frame number)を含む、UE初期アクセスのための情報の数個の重要な断片を搬送する。新たなMIBは、4個の無線フレームごとに(SFN mod 4=0)ブロードキャストされてよく、フレームごとに(10ms)再ブロードキャストされてよい。
【００４１】
MIBを受信した後、UEはSIBを受信してよい。伝達されるシステム情報(SI:system information)のタイプに従って、様々なSIBが定義されてよい。新たなSIB1は、8個のフレームごとに(SFN mod 8=0)第5のサブフレームの中で送信されてよく、1つおきのフレームで(20ms)再ブロードキャストされてよい。SIB1は、セル識別(CID:cell identity)情報を含むアクセス情報を含み、それは、UEが基地局105のセルにキャンプオンすることを許可されているかどうかを示してよい。SIB1はまた、セル選択情報(または、セル選択パラメータ)を含む。追加として、SIB1は、他のSIB用のスケジューリング情報を含む。SIB2は、SIB1の中の情報に従って動的にスケジュールされてよく、共通および共有チャネルに関係するアクセス情報およびパラメータを含む。SIB2の周期性は、8個、16個、32個、64個、128個、256個、または512個の無線フレームに設定されることが可能である。
【００４２】
PDCCHは、論理的に連続する9個のリソース要素グループ(REG:resource element group)からなってよい、少なくとも1つの制御チャネル要素(CCE:control channel element)の中でダウンリンク制御情報(DCI:downlink control information)を搬送し、ここで、各REGは4個のリソース要素(RE:resource element)を含む。DCIは、DLスケジューリング割当て、ULリソース許可、送信方式、UL電力制御、HARQ情報、変調およびコーディング方式(MCS:modulation and coding scheme)に関する情報、ならびに他の情報を含む。DCIメッセージのサイズおよびフォーマットは、DCIによって搬送される情報のタイプおよび量に応じて異なることができる。たとえば、空間多重化がサポートされる場合、DCIメッセージのサイズは、連続する周波数割振りと比較して大きい。同様に、多入力多出力(MIMO)を採用するシステムの場合、DCIは、追加のシグナリング情報を含まなければならない。DCIサイズおよびDCIフォーマットは、情報の量、ならびに帯域幅、アンテナポートの数、および複信モードなどのファクタに依存する。
【００４３】
PDCCHが、複数のユーザに関連するDCIメッセージを搬送することができ、各UE115は、それを対象とするDCIメッセージを復号してよい。たとえば、各UE115は、セル無線ネットワーク一時識別情報(C-RNTI:cell radio network temporary identity)が割り当てられてよく、各DCIに付加される巡回冗長検査(CRC)ビットは、C-RNTIに基づいてスクランブルされてよい。UEにおける電力消費およびオーバーヘッドを低減するために、CCEロケーションの限定されたセットが、特定のUE115に関連するDCIに対して指定されることが可能である。CCEは、(たとえば、1個、2個、4個、および8個のCCEのグループに)グループ化されてよく、関連するDCIをUEが見つけてよいCCEロケーションのセットが指定されてよい。これらのCCEは、探索空間と呼ばれることがある。探索空間は、2つの領域、すなわち、共通のCCE領域または探索空間と、UE固有(専用)のCCE領域または探索空間とに区分されることが可能である。
【００４４】
共通CCE領域は、基地局105によってサービスされるすべてのUEによって監視されてよく、ページング情報、SI、ランダムアクセス手順などの情報を含んでよい。UE固有の探索空間は、ユーザ固有の制御情報を含んでよい。CCEはインデックス付けされてよく、共通探索空間はCCE0から開始してよい。UE固有の探索空間に対する開始インデックスは、C-RNTI、サブフレームインデックス、CCEアグリゲーションレベル、およびランダムシードに依存する。UE115は、ブラインド復号と呼ばれるプロセスを実行することによって、DCIを復号しようと試みてよく、その間に探索空間はDCIが検出されるまでランダムに復号される。ブラインド復号の間、UE115は、そのC-RNTIを使用してすべての可能なDCIメッセージをデスクランブルしようと試みてよく、試みが成功したかどうかを判定するためにCRC検査を実行してよい。
【００４５】
ワイヤレス通信システム100は、複数のセル上またはキャリア上での動作をサポートしてよく、その機能は、キャリアアグリゲーションまたはマルチキャリア動作と呼ばれることがある。キャリアは、CC、レイヤ、チャネルなどと呼ばれることもある。「キャリア」、「コンポーネントキャリア」、「セル」、および「チャネル」という用語は、本明細書で互換的に使用されることがある。UE115は、キャリアアグリゲーションのために、複数のダウンリンクCCおよび1つまたは複数のアップリンクCCを用いて構成されてよい。キャリアアグリゲーションは、周波数分割複信(FDD)CCと時分割複信(TDD)CCの両方を用いて使用されてよい。
【００４６】
場合によっては、ワイヤレス通信システムは、1つまたは複数の拡張CC(ECC:enhanced CC)を利用してよい。ECCは、フレキシブル帯域幅、可変長TTI、および修正された制御チャネル構成を含む、1つまたは複数の機能によって特徴づけられてよい。場合によっては、ECCは、キャリアアグリゲーション構成またはデュアル接続性構成(すなわち、複数のサービングセルが、準最適なバックホールリンクを有するとき)に関連してよい。ECCはまた、無認可スペクトルまたは(2つ以上の事業者がスペクトルを使用することを認可される)共有スペクトルにおける使用のために構成されてよい。フレキシブル帯域幅によって特徴づけられたECCは、全帯域幅を監視することが可能でないか、または(たとえば、電力を節約するために)限定された帯域幅を使用することを好むUE115によって利用されてよい、1つまたは複数のセグメントを含んでよい。
【００４７】
場合によっては、ECCは、短縮されたまたは可変のシンボル持続時間などの、異なる周波数−時間ヌメロロジーの使用を含んでよい、可変のTTI長を利用してよい。場合によっては、シンボル持続時間は同じままであってよいが、各シンボルが異なるTTIを表してよい。場合によっては、ECCは、異なるTTI長に関連する複数の階層レイヤを含んでよい。たとえば、1つの階層レイヤにおけるTTIが、均一な1msサブフレームに対応してよく、第2のレイヤでは、可変長TTIが、短い持続時間のシンボル期間のバーストに対応してよい。場合によっては、もっと短いシンボル持続時間が、拡大されたサブキャリア間隔に関連してもよい。
【００４８】
フレキシブル帯域幅および可変TTIは、修正された制御チャネル構成に関連してよい(たとえば、ECCはDCIに対して拡張PDCCH(ePDCCH)を利用してよい)。たとえば、ECCの1つまたは複数の制御チャネルは、フレキシブル帯域幅の使用に適応するためにFDMスケジューリングを利用してよい。他の制御チャネル修正は、(たとえば、拡張MBMS(eMBMS)スケジューリングのための、または可変長のULバーストおよびDLバーストの長さを示すための)追加の制御チャネル、または異なる間隔において送信される制御チャネルの使用を含む。ECCはまた、修正されたまたは追加のHARQ関連制御情報を含んでよい。
【００４９】
UE115は、狭帯域制御領域マネージャ101を含んでよく、狭帯域制御領域マネージャ101は、共通制御領域の帯域幅および関連する周波数−時間ヌメロロジーもしくは共通制御領域の中心周波数の表示、またはデータ多重化表示を備える、制御領域情報を受信してよく、共通制御領域の帯域幅がシステム帯域幅の少なくとも一部分を備え、制御領域情報に基づいて共通制御領域を監視してよい。狭帯域制御領域マネージャ101はまた、図8を参照しながら説明する狭帯域制御領域マネージャ810の態様の一例であってよい。
【００５０】
基地局105は、基地局狭帯域制御領域マネージャ102を含んでよく、基地局狭帯域制御領域マネージャ102は、共通制御領域の帯域幅および関連する周波数−時間ヌメロロジーもしくは共通制御領域の中心周波数の表示、またはデータ多重化表示を備える、制御領域情報を送信してよく、共通制御領域の帯域幅がシステム帯域幅の少なくとも一部分を備え、共通制御領域を使用して制御情報を少なくとも1つのUE115へ送信してよい。基地局狭帯域制御領域マネージャ102はまた、図12を参照しながら説明する基地局狭帯域制御領域マネージャ1210の態様の一例であってよい。
【００５１】
したがって、基地局105は、システム帯域幅の一部分を占有する狭帯域共通制御領域を使用して制御情報を送信してよい。場合によっては、データは、共通制御領域によって使用されていないトーンにおいて、同じ時間期間の間、多重化されてよい。基地局は、共通制御領域の帯域幅および関連する周波数−時間ヌメロロジー、中心周波数、ならびに多重化ステータスなどの、制御領域構成情報を1つまたは複数のUE115へ送信してよい。場合によっては、共通制御領域はサブバンドに分割されてよく、異なるUE115が異なるサブバンドを監視するように割り当てられてよい。非割当てUE115は、デフォルトのアンカーサブバンドを監視してよい。
【００５２】
図2は、本開示の1つまたは複数の態様による狭帯域CCCHサブバンド設計およびシグナリングのためのワイヤレス通信システム200の一例を示す。ワイヤレス通信システム200は、図1を参照しながら説明した対応するデバイスの例であってよい、基地局105-d、UE115-a、およびUE115-bを含んでよい。ワイヤレス通信システム200は、データ多重化を用いた動的な狭帯域共通制御領域をサポートするシステムの一例であってよい。
【００５３】
CCCH領域をDLデータと多重化することは、狭帯域制御領域によって占有されない帯域幅のより効率的な使用を可能にすることがある。制御領域の外側の帯域幅も、DLデータを復調するための復調基準信号(DMRS:demodulation reference signal)を搬送してよい。場合によっては、制御情報と多重化されたデータは、遅延の後、処理されてよい。すなわち、シンボルは、制御情報が復号された後、バッファリングおよび処理されてよい。基地局105-dは、任意の所与の時間において制御領域とデータ領域との間で送信電力を分配してよい。厳しいリンクバジェットを伴う環境では、電力のほとんどまたはすべてが、制御領域のために使用されてよい。
【００５４】
基地局105-dは、データ多重化を可能にする共通制御領域のための構成情報をシグナリングしてよい。シグナリング情報は、周波数領域における制御領域の属性(すなわち、帯域幅および関連する周波数−時間ヌメロロジー、ならびに中心周波数)、および制御とデータとの多重化が可能にされているかどうかという表示を含んでよい。いくつかの例では、制御領域の属性および制御とデータとの多重化のステータスに関係する情報は、ブロードキャストチャネルを介して(たとえば、発見信号、MIB、またはSIBの中で)送信されてよい。他の例では、情報は、CCCHを介して(たとえば、PCFICHまたは類似のチャネルの中で)送信されてよい。
【００５５】
共通制御領域を複数のサブバンドに分割することは、異なるUEが専用の制御チャネルサブバンドを使用することを可能にすることがある。このことは、UEにおける制御チャネル処理を簡略化することがある。UE115-aのための制御チャネル容量は、複数のサブバンドを割り当てることによって、処理複雑度に著しく影響を及ぼすことなく拡大されてよい。場合によっては、サブバンドのうちの1つがアンカーサブバンドとして指定されてよい。アンカーサブバンドは、セル固有またはネットワーク固有の設定に基づいて割り当てられてよい。たとえば、場合によっては、中心サブバンドがアンカーサブバンドとして指定されてよい。UE115-aまたはUE115-bは、別のサブバンドに明示的に割り当てられていないとき(たとえば、アイドルモードにおけるUE115)、デフォルトでアンカーサブバンドを使用してよい。
【００５６】
基地局105-dは、明示的なシグナリングを使用してサブバンドを構成してよい。たとえば、基地局は、割り当てられたサブバンドを示すサブバンド割当て情報をUE115-aおよびUE115-bへ送信してよい。いくつかの例では、このシグナリングは、RRCシグナリングなどの半静的なレイヤ1(L1)メッセージを使用して達成されてよい。他の例では、データ領域の中に制御を埋め込むことによって、またはL1メッセージングの使用を通じて、物理制御チャネル(たとえば、PDCCH)を使用して動的なシグナリングが伝達されてよい。全体的なサブバンド構成に関係する情報(たとえば、有効にされたサブバンドの数、アンカーサブバンドのロケーション、データ多重化のステータスなど)も、基地局105-dによって送信されてよい。
【００５７】
UE115-a(および、UE115-b、図示せず)は、狭帯域制御領域マネージャ201を含んでよく、狭帯域制御領域マネージャ201は、共通制御領域の帯域幅および関連する周波数−時間ヌメロロジーもしくは共通制御領域の中心周波数の表示、またはデータ多重化表示を備える、制御領域情報を受信してよく、共通制御領域の帯域幅がシステム帯域幅の少なくとも一部分を備え、制御領域情報に基づいて共通制御領域を監視してよい。狭帯域制御領域マネージャ201はまた、図8を参照しながら説明する狭帯域制御領域マネージャ810の態様の一例であってよい。
【００５８】
基地局105-dは、基地局狭帯域制御領域マネージャ202を含んでよく、基地局狭帯域制御領域マネージャ202は、共通制御領域の帯域幅および関連する周波数−時間ヌメロロジーもしくは共通制御領域の中心周波数の表示、またはデータ多重化表示を備える、制御領域情報を送信してよく、共通制御領域の帯域幅がシステム帯域幅の少なくとも一部分を備え、共通制御領域を使用して制御情報をUE115-aおよびUE115-bへ送信してよい。基地局狭帯域制御領域マネージャ202はまた、図12を参照しながら説明する基地局狭帯域制御領域マネージャ1210の態様の一例であってよい。
【００５９】
図3は、狭帯域CCCHサブバンド設計およびシグナリングのためのPHYレイヤ構造300の一例を示す。場合によっては、PHYレイヤ構造300は、図1および図2を参照しながら説明したようなUE115または基地局105によって使用されるワイヤレスPHYレイヤの態様を表してよい。PHYレイヤ構造300は、DLセントリックサブフレーム構造の中の狭帯域共通制御領域を、半静的または動的に変化させることを表してよい。
【００６０】
DLセントリックサブフレーム構造は、共有データ領域305および(全キャリア帯域幅の一部分だけを占有してよい)共通制御領域315を含んでよく、事前スケジュールされてよく共有データ領域305とは無関係であってよいUL領域310とともに終了してよい。場合によっては、共通制御領域315は、システム帯域幅全体を占有してよい(図示せず)。他のケースでは、共通制御領域315は、システム帯域幅405よりも小さく占有してよいが、基地局105の全送信電力は、占有されていないトーン上で送信するために電力が利用可能でないように、共通制御領域315のために使用されてよい。
【００６１】
場合によっては、第1のTTI301-aの間の共通制御領域315-aと同じシンボル期間の間、共有データ領域305-aを多重化することによって、より多くのREが共有データ領域305-aのために使用可能であってよい。一例では、共有データ領域305-aおよび共通制御領域315-aは、TTI301-aの第1のシンボルの中で多重化されてよい。場合によっては、基地局105は、第2のTTI301-bの中でもっと多くの制御情報を送信してよく、そのため、共通制御領域315-bのサイズは、図示のように増大してよい。共有データ領域305-bおよび共通制御領域315-bは、第1のシンボル、第2のシンボル、第3のシンボル、または第4のシンボルなどの、TTI301-aの最初のシンボルのうちの1つの中で多重化されてよい。
【００６２】
図4は、狭帯域CCCHサブバンド設計およびシグナリングのためのPHYレイヤ構造400の一例を示す。場合によっては、PHYレイヤ構造400は、図1および図2を参照しながら説明したようなUE115または基地局105によって使用されるワイヤレスPHYレイヤの態様を表してよい。PHYレイヤ構造400は、共通制御領域内の異なるサブバンドが特定のUE115に割り当てられるDLセントリックサブフレーム構造の中の狭帯域共通制御領域を、半静的または動的に変化させることを表してよい。
【００６３】
PHYレイヤ構造400は、共通制御領域410を示してよく、共通制御領域410は、システム帯域幅405の一部分を占有してよい。共通制御領域410は、制御チャネルサブバンド、すなわち、サブバンド401、サブバンド402、およびサブバンド403に再分割されてよい。制御チャネルサブバンド401、サブバンド402、およびサブバンド403は、同じ帯域幅または異なる帯域幅を有してよく、半静的または動的に構成可能であってよい。いくつかの例では、制御チャネルサブバンド401、サブバンド402、サブバンド403、またはそれらの組合せのうちの少なくとも1つは、TTI415の第1のシンボル期間の中で多重化されてよく、第1のシンボル期間の中のデータと多重化されてもよい。場合によっては、データは、共通制御領域410とは異なる帯域幅(たとえば、もっと狭い帯域幅)を使用して多重化されてよい。
【００６４】
TTI415-aの間、第1のUE115は、サブバンド403-aを監視するように割り当てられてよく、サブバンド401-aは、アンカーサブバンドとして指定されてよい。いかなる他のサブバンドにも関連していない第2のUE115は、アンカーサブバンド401-aを監視してよい。
【００６５】
TTI415-bの間、第1のUE115は、サブバンド割当て変更が(たとえば、PDCCH、データ領域の中の埋め込まれた制御を介して動的に、またはL1メッセージを介して半静的に)サブバンド403-bからシグナリングされてよい。第2のUE115も、サブバンド割当てがサブバンド401-bからシグナリングされてよい。場合によっては、UE115のサブセットだけが、所与のTTI415の間にサブバンド割当てを受信することがある。
【００６６】
TTI415-bの間に成功したサブバンド割当て変更に続いて、TTI415-cの中で、第1のUE115はサブバンド402-cを監視してよく、第2のUE115-aはサブバンド403-cを監視してよい。
【００６７】
図5は、狭帯域CCCHサブバンド設計およびシグナリングのためのPHYレイヤ構造500の一例を示す。場合によっては、PHYレイヤ構造500は、図1および図2を参照しながら説明したようなUE115または基地局105によって使用されるワイヤレスPHYレイヤの態様を表してよい。PHYレイヤ構造500は、共通制御領域内の異なるサブバンドが特定のUE115に割り当てられるDLセントリックサブフレーム構造の中の狭帯域共通制御領域を、半静的または動的に変化させることを表してよい。
【００６８】
PHYレイヤ構造500は、共通制御領域510を含み、共通制御領域510は、システム帯域幅505の一部分を占有してよい。共通制御領域510は、制御チャネルサブバンド、すなわち、サブバンド501、サブバンド502、およびサブバンド503に再分割されてよい。制御チャネルサブバンド501、サブバンド502、およびサブバンド503は、同じ帯域幅または異なる帯域幅を有してよく、半静的または動的に構成可能であってよい。いくつかの例では、制御チャネルサブバンド501、サブバンド502、サブバンド503、またはそれらの組合せは、TTI515の第1のシンボル期間の中で多重化されてよく、第1のシンボル期間の中のデータと多重化されてもよい。場合によっては、データは、共通制御領域510またはシステム帯域幅505とは異なる帯域幅(たとえば、もっと狭い帯域幅)を使用して多重化されてよい。したがって、制御チャネルサブバンド501、502、および503に割り振られたサブキャリア、または帯域幅520は、システム帯域幅505よりも小さくてよい。さらに、制御チャネルサブバンド501、502、および503は、複数のTTI515の間で変化することがある異なる周波数−時間ヌメロロジーに関連してよい。たとえば、制御チャネルサブバンド501-aは、TTI515-aの中で第1のヌメロロジーに関連してよく、サブバンド502-aは、TTI515-aの中で第2の異なるヌメロロジーに関連してよい。TTI515-bの中で、制御チャネルサブバンド501-bは、第1のヌメロロジーに関連してよく、制御チャネルサブバンド502-bは、第1のヌメロロジー、第2のヌメロロジー、またはその両方とは異なる第3のヌメロロジーに関連してよい。
【００６９】
いくつかの例では、UE115は、制御チャネルサブバンド501、502、または503内で情報を受信する前に、そのレシーバ帯域幅をシステム帯域幅505のサブセットになるように狭くしてよい。したがって、UE115に割り振られた帯域幅を示すシグナリングを受信するのを待つ代わりに、UE115は、あらかじめそのレシーバ帯域幅を狭くしてよく、そのことは、システム帯域幅505の不必要な聴取または監視を回避する助けとなることがある。狭くされた帯域幅は、UE115が監視するように割り当てられている制御チャネルサブバンドの少なくとも一部分にオーバーラップしてよい。たとえば、システム帯域幅505は100MHzであってよく、UE115に関連する狭くされたレシーバ帯域幅520は20MHzであってよい。UE115に割り振られる実際のリソースは、帯域幅520のサブセットに広がってよく、共通制御領域510の中で受信された(たとえば、基地局105からUE115へ送信される)表示を通じてUE115に割り振られてよい。たとえば、TTI515-aの間、第1のUE115は、制御チャネルサブバンド503-aを監視するように割り当てられてよく、制御チャネルサブバンド501-aは、アンカーサブバンドとして指定されてよい。いかなる他の制御チャネルサブバンドにも関連していない第2のUE115は、アンカーサブバンド501-aを監視してよい。TTI515-aを監視することによって、第1のUE115は、TTI515-a内のリソース525-aが第1のUE115に(たとえば、データ送信またはデータ受信のために使用されるように)割り当てられるという表示を決定または受信してよい。場合によっては、第1のUE115はまた、割り当てられたリソース525-a、525-b、525-c、またはそれらの組合せに関連するヌメロロジーの表示を受信してよい。いくつかの例では、割り当てられたリソース525は、図示のように狭くされたレシーバ帯域幅520に広がってよく、またはリソース525の一部分に広がってよい。
【００７０】
TTI515-bの間、第1のUE115は、制御チャネルサブバンド503-bを監視してよく、データ通信のためにリソース525-bが第1のUE115に割り振られるという表示を決定または受信してよい。第1のUE115は、制御チャネルサブバンド503-bの中でのシグナリングから表示を受信してよく、割り振られたリソース525-bの帯域幅がシステム帯域幅505よりも狭いという表示を受信してよい。場合によっては、図示のように、リソース525-bは、制御チャネルサブバンド503-bを含む制御領域510の少なくとも一部分にオーバーラップしてよい。
【００７１】
TTI515-bの間にも、第1のUE115は、サブバンド割当て変更が(たとえば、PDCCH、データ領域の中の埋め込まれた制御を介して動的に、またはL1メッセージを介して半静的に)制御チャネルサブバンド503-bからシグナリングされてよい。第2のUE115も、サブバンド割当てが制御チャネルサブバンド501-bからシグナリングされてよい。場合によっては、UE115のサブセットだけが、所与のTTI515の間にサブバンド割当てを受信することがある。TTI515-bの間に成功したサブバンド割当て変更に続いて、TTI515-cの中で、第1のUE115は制御チャネルサブバンド502-cを監視してよく、第2のUE115-aは制御チャネルサブバンド503-cを監視してよい。場合によっては、サブバンド割当て変更がUEにシグナリングされる場合、そのUEに関連するリソースも変更されてよい。たとえば、TTI515-cに示すように、第1のUE115は、制御チャネルサブバンド502-cを監視するように割り当てられてよく、制御チャネルサブバンド502-cは、TTI515-bの中で以前に割り振られたリソース525-bに対して異なる、第1のUEのための割り振られたリソース525-cを示してよい。新たなリソースおよび制御サブバンド割当てをサポートするために、第1のUE115は、TTI515-bとTTI515-cとの間のガード期間の間にその無線周波数回路構成を再同調(たとえば、第1のUE115の局部発振器を同調)させてよい。図4で説明したような制御サブバンド割当て変更の動的または半静的なシグナリングはまた、所与のUE115のためのリソース割振り変更をシグナリングするために使用されてよい。いくつかの事例では、データ多重化表示は、(たとえば、データサブキャリア範囲を規定することによって)制御チャネルサブキャリアに関して割り振られたリソース525についての追加情報を搬送してよく、または所与のUE115のために割り振られたリソース525に関連する周波数−時間ヌメロロジーに関する情報を含んでよい。
【００７２】
図6は、狭帯域CCCHサブバンド設計およびシグナリングのためのPHYレイヤ構造600の一例を示す。場合によっては、PHYレイヤ構造600は、図1および図2を参照しながら説明したようなUE115または基地局105によって使用されるワイヤレスPHYレイヤの態様を表してよい。PHYレイヤ構造600は、共通制御領域内の異なるサブバンドが特定のUE115に割り当てられるDLセントリックサブフレーム構造の中の狭帯域共通制御領域を、半静的または動的に変化させることを表してよい。
【００７３】
PHYレイヤ構造600は、共通制御領域610を含み、共通制御領域610は、システム帯域幅605の一部分を占有してよい。共通制御領域610は、制御チャネルサブバンド、すなわち、サブバンド601、サブバンド602、およびサブバンド603に再分割されてよい。制御チャネルサブバンド601、サブバンド602、およびサブバンド603は、同じ帯域幅または異なる帯域幅を有してよく、半静的または動的に構成可能であってよい。いくつかの例では、制御チャネルサブバンド601、サブバンド602、サブバンド603、またはそれらの組合せは、TTI615の第1のシンボル期間の中で多重化されてよく、第1のシンボル期間の中のデータと多重化されてもよい。場合によっては、データは、共通制御領域610またはシステム帯域幅605とは異なる帯域幅(たとえば、もっと狭い帯域幅)を使用して多重化されてよい。したがって、制御チャネルサブバンド601、602、および603に割り振られたサブキャリア、または帯域幅620は、システム帯域幅605よりも小さくてよい。さらに、制御チャネルサブバンド601、602、および603は、場合によっては、複数のTTI615の間で変化することがある、異なる周波数−時間ヌメロロジーに関連してよい。たとえば、制御チャネルサブバンド601-aは、TTI615-aの中で第1のヌメロロジーに関連してよく、サブバンド602-aは、TTI615-aの中で第2の異なるヌメロロジーに関連してよい。TTI615-bの中で、制御チャネルサブバンド601-bは、第1のヌメロロジーに関連してよく、制御チャネルサブバンド602-bは、第1のヌメロロジー、第2のヌメロロジー、またはその両方とは異なる第3のヌメロロジーに関連してよい。
【００７４】
場合によっては、第1のUE115は、制御チャネルサブバンド601、602、または603内で情報を受信する前に、そのレシーバ帯域幅をシステム帯域幅505のサブセットになるように狭くしてよい。したがって、UE115に割り振られた帯域幅を示すシグナリングを受信するのを待つ代わりに、UE115は、あらかじめそのレシーバ帯域幅を狭くしてよく、そのことは、システム帯域幅605の不必要な聴取または監視を回避する助けとなることがある。狭くされた帯域幅は、UE115が監視するように割り当てられている制御チャネルサブバンドの少なくとも一部分にオーバーラップしてよい。たとえば、システム帯域幅605は100MHzであってよく、第1のUE115に関連する狭くされたレシーバ帯域幅620は20MHzであってよい。場合によっては、所与のUEに割り振られたリソースは、複数のTTI615の間で変化することがあり、狭くされたレシーバ帯域幅の一部分に広がってよい。たとえば、第2のUE115は、TTI615-aおよび615-bの中で帯域幅630に関連してよいリソース635が割り振られてよいが、TTI615-cの中では、割り振られたリソース635-cは、帯域幅630の一部分だけに広がってよい。リソース635-cが、リソース635-aおよび635-bと比較してTTI615-cの中のもっと多くのサブキャリアに広がってよく、したがって、帯域幅630よりも広い帯域幅を有してよいことを理解されたい。図示しないが、リソース635-a、635-b、および635-cは、各TTI615の中の異なる帯域幅に広がってよく、所与のUEのための狭くされたレシーバ帯域幅は、複数のTTI615の間で変化することがある。
【００７５】
リソース625または635は、共通制御領域610の中で受信された(たとえば、基地局105からUE115へ送信される)表示を通じてUE115に割り振られてよい。たとえば、TTI615-aの間、第1のUE115は、制御チャネルサブバンド603-aを監視するように割り当てられてよく、制御チャネルサブバンド601-aは、アンカーサブバンドとして指定されてよい。いかなる他の制御チャネルサブバンドにも関連していない第2のUE115は、アンカーサブバンド601-aを監視してよい。TTI615-aを監視することによって、第1のUE115は、TTI615-a内のリソース625-aが第1のUE115に(たとえば、データ送信またはデータ受信のために使用されるように)割り当てられるという表示を決定または受信してよい。場合によっては、第1のUE115はまた、割り当てられたリソース625-a、625-b、625-c、またはそれらの組合せに関連するヌメロロジーの表示を受信してよい。TTI615-aを監視することによって、第2のUE115は、TTI615-a内のリソース635-aが第2のUE115に(たとえば、データ送信またはデータ受信のために使用されるように)割り当てられるという表示を決定または受信してよい。場合によっては、第2のUE115も、割り当てられたリソース635-a、635-b、635-c、またはそれらの組合せに関連するヌメロロジーの表示を受信してよい。
【００７６】
TTI615-bの間、第1のUE115は、制御チャネルサブバンド603-bを監視してよく、データ通信のためにリソース625-bが第1のUE115に割り振られるという表示を決定または受信してよい。第2のUEは、制御チャネルサブバンド602-bを監視してよく、データ通信のためにリソース635-bが第2のUE115に割り振られるという表示を決定または受信してよい。
【００７７】
場合によっては、第1のUE115または第2のUE115は、割り振られたリソース625-bまたは635-bの帯域幅がシステム帯域幅605またはそれぞれの狭くされたレシーバ帯域幅620および630よりも狭いという表示を受信してよい。場合によっては、図示のように、リソース625-bまたは635-bは、制御チャネルサブバンド603-bまたは602-bを含む制御領域610の少なくとも一部分にオーバーラップしてよい。TTI615-bの間にも、第1のUE115は、サブバンド割当て変更が(たとえば、PDCCH、データ領域の中の埋め込まれた制御を介して動的に、またはL1メッセージを介して半静的に)制御チャネルサブバンド603-bからシグナリングされてよい。第2のUE115は、サブバンド割当てが制御チャネルサブバンド601-bからシグナリングされてよい。場合によっては、UE115のサブセットだけが、所与のTTI615の間にサブバンド割当てを受信することがある。
【００７８】
TTI615-bの間に成功したサブバンド割当て変更に続いて、TTI615-cの中で、第1のUE115は制御チャネルサブバンド602-cを監視してよく、第2のUE115-aは制御チャネルサブバンド603-cを監視してよい。場合によっては、サブバンド割当て変更がUE115にシグナリングされる場合、UE115に関連するリソースも変更されてよい。たとえば、TTI615-cに示すように、第1のUE115は、制御チャネルサブバンド602-cを監視するように割り当てられてよく、制御チャネルサブバンド602-cは、TTI615-bの中で以前に割り振られたリソース625-bに対して異なる、第1のUEのための割り振られたリソース625-cを示してよい。さらに、第2のUE115は、制御チャネルサブバンド603-cを監視するように割り当てられてよく、制御チャネルサブバンド603-cは、TTI615-bの中で以前に割り振られたリソース635-bに対して異なる、第2のUEのための割り振られたリソース635-cを示してよい。
【００７９】
新たなリソースおよび制御サブバンド割当てをサポートするために、第1および第2のUE115は、TTI615-bとTTI615-cとの間のガード期間の間にそれらの無線周波数回路構成を(たとえば、局部発振器を同調させることによって)再同調させてよい。図4で説明したような制御サブバンド割当て変更の動的または半静的なシグナリングはまた、所与のUE115のためのリソース割振り変更をシグナリングするために使用されてよい。いくつかの事例では、データ多重化表示は、(たとえば、データサブキャリア範囲を規定することによって)制御チャネルサブキャリアに関して割り振られたリソース625または635についての追加情報を搬送してよく、あるいは所与のUE115のために割り振られたリソース625または635に関連する周波数−時間ヌメロロジーに関する情報を含んでよい。
【００８０】
図7は、本開示の様々な態様による狭帯域CCCHサブバンド設計およびシグナリングをサポートするワイヤレスデバイス700のブロック図を示す。ワイヤレスデバイス700は、図1および図2を参照しながら説明したUE115の態様の一例であってよい。ワイヤレスデバイス700は、レシーバ705、狭帯域制御領域マネージャ710、およびトランスミッタ715を含んでよい。ワイヤレスデバイス700はまた、プロセッサを含んでよい。これらのコンポーネントの各々は、互いに通信していてよい。
【００８１】
レシーバ705は、パケット、ユーザデータ、または様々な情報チャネル(たとえば、制御チャネル、データチャネル、ならびに狭帯域CCCHサブバンド設計およびシグナリングに関係する情報など)に関連する制御情報などの、情報を受信してよい。情報は、デバイスの他のコンポーネントに伝えられてよい。レシーバ705は、図10を参照しながら説明するトランシーバ1025の態様の一例であってよい。
【００８２】
狭帯域制御領域マネージャ710は、共通制御領域の帯域幅および関連する周波数−時間ヌメロロジーもしくは共通制御領域の中心周波数の表示、またはデータ多重化表示を備える、制御領域情報を受信してよく、共通制御領域の帯域幅がシステム帯域幅の少なくとも一部分を備え、制御領域情報に基づいて共通制御領域を監視してよい。狭帯域制御領域マネージャ710はまた、図10を参照しながら説明する狭帯域制御領域マネージャ1005の態様の一例であってよい。
【００８３】
トランスミッタ715は、ワイヤレスデバイス700の他のコンポーネントから受信された信号を送信してよい。いくつかの例では、トランスミッタ715は、トランシーバモジュールの中にレシーバと一緒に置かれてよい。たとえば、トランスミッタ715は、図10を参照しながら説明するトランシーバ1025の態様の一例であってよい。トランスミッタ715は、単一のアンテナを含んでよく、または複数のアンテナを含んでよい。
【００８４】
図8は、本開示の様々な態様による狭帯域CCCHサブバンド設計およびシグナリングをサポートするワイヤレスデバイス800のブロック図を示す。ワイヤレスデバイス800は、図1、図2、および図7を参照しながら説明したワイヤレスデバイス700またはUE115の態様の一例であってよい。ワイヤレスデバイス800は、レシーバ805、狭帯域制御領域マネージャ810、およびトランスミッタ825を含んでよい。ワイヤレスデバイス800はまた、プロセッサを含んでよい。これらのコンポーネントの各々は、互いに通信していてよい。
【００８５】
レシーバ805は、ワイヤレスデバイス800の他のコンポーネントに伝えられてよい情報を受信してよい。レシーバ805はまた、図7のレシーバ705を参照しながら説明した機能を実行してよい。レシーバ805は、図10を参照しながら説明するトランシーバ1025の態様の一例であってよい。
【００８６】
狭帯域制御領域マネージャ810は、図7を参照しながら説明した狭帯域制御領域マネージャ710の態様の一例であってよい。狭帯域制御領域マネージャ810は、制御領域情報コンポーネント815および制御領域監視コンポーネント820を含んでよい。狭帯域制御領域マネージャ810は、図10を参照しながら説明する狭帯域制御領域マネージャ1005の態様の一例であってよい。
【００８７】
制御領域情報コンポーネント815は、共通制御領域の帯域幅および関連する周波数−時間ヌメロロジーもしくは共通制御領域の中心周波数の表示、またはデータ多重化表示を備える、制御領域情報を受信してよく、共通制御領域の帯域幅がシステム帯域幅の少なくとも一部分を備える。場合によっては、制御領域情報は、ブロードキャストメッセージまたはCCCHの中で受信される。制御領域監視コンポーネント820は、制御領域情報に基づいて共通制御領域を監視してよい。
【００８８】
トランスミッタ825は、ワイヤレスデバイス800の他のコンポーネントから受信された信号を送信してよい。いくつかの例では、トランスミッタ825は、トランシーバモジュールの中にレシーバと一緒に置かれてよい。たとえば、トランスミッタ825は、図10を参照しながら説明するトランシーバ1025の態様の一例であってよい。トランスミッタ825は、単一のアンテナを利用してよく、または複数のアンテナを利用してよい。
【００８９】
図9は、ワイヤレスデバイス700またはワイヤレスデバイス800の対応するコンポーネントの一例であってよい狭帯域制御領域マネージャ900のブロック図を示す。すなわち、狭帯域制御領域マネージャ900は、図7および図8を参照しながら説明した狭帯域制御領域マネージャ710または狭帯域制御領域マネージャ810の態様の一例であってよい。狭帯域制御領域マネージャ900はまた、図10を参照しながら説明する狭帯域制御領域マネージャ1005の態様の一例であってよい。
【００９０】
狭帯域制御領域マネージャ900は、制御領域情報コンポーネント905、制御領域更新コンポーネント910、サブバンド監視コンポーネント915、制御領域監視コンポーネント920、およびデータ多重化コンポーネント925を含んでよい。これらのモジュールの各々は、(たとえば、1つまたは複数のバスを介して)互いに直接または間接的に通信してよい。
【００９１】
制御領域情報コンポーネント905は、共通制御領域の帯域幅および関連する周波数−時間ヌメロロジーもしくは共通制御領域の中心周波数の表示、またはデータ多重化表示を備える、制御領域情報を受信してよく、共通制御領域の帯域幅がシステム帯域幅の少なくとも一部分を備える。
【００９２】
制御領域更新コンポーネント910は、共通制御領域更新メッセージを受信してよい。場合によっては、共通制御領域更新メッセージは、UE固有の制御チャネルまたはRRC構成メッセージを使用して受信される。
【００９３】
サブバンド監視コンポーネント915は、共通制御領域のサブバンドを示す割当てメッセージを受信してよく、割当てメッセージに基づいてサブバンドを監視してよい。場合によっては、共通制御領域を監視することは、共通制御領域のアンカーサブバンドを監視することを備える。場合によっては、制御領域情報は、アンカーサブバンドのロケーションを備える。場合によっては、制御領域情報は、複数の制御領域サブバンド、複数の制御領域サブバンドの各々に対する帯域幅、複数の制御領域サブバンドの各々に対する周波数、またはそれらの任意の組合せの表示を備える。
【００９４】
制御領域監視コンポーネント920は、制御領域情報に基づいて共通制御領域を監視してよい。データ多重化コンポーネント925は、データ多重化表示に基づいて共通制御領域のシンボル期間の間にユーザデータを受信してよく、ここで、ユーザデータは、共通制御領域の帯域幅とは異なる、システム帯域幅の部分を使用して受信される。いくつかの例では、データ多重化コンポーネント925は、サブフレームの第1のシンボル期間の間にユーザデータを受信してよく、システム帯域幅の異なる部分は、共通制御領域の帯域幅よりも狭くてよい。
【００９５】
図10は、本開示の様々な態様による狭帯域CCCHサブバンド設計およびシグナリングをサポートするデバイスを含むシステム1000の図を示す。たとえば、システム1000は、UE115-cを含んでよく、UE115-cは、図1、図2、および図7〜図9を参照しながら説明したようなワイヤレスデバイス700、ワイヤレスデバイス800、またはUE115の一例であってよい。
【００９６】
UE115-cはまた、狭帯域制御領域マネージャ1005、メモリ1010、プロセッサ1020、トランシーバ1025、アンテナ1030、およびECCモジュール1035を含んでよい。これらのモジュールの各々は、(たとえば、1つまたは複数のバスを介して)互いに直接または間接的に通信してよい。狭帯域制御領域マネージャ1005は、図7〜図9を参照しながら説明したような狭帯域制御領域マネージャの一例であってよい。
【００９７】
メモリ1010は、ランダムアクセスメモリ(RAM)および読取り専用メモリ(ROM)を含んでよい。メモリ1010は、実行されたとき、本明細書で説明する様々な機能(たとえば、狭帯域CCCHサブバンド設計およびシグナリングなど)をプロセッサに実行させる命令を含む、コンピュータ可読コンピュータ実行可能ソフトウェアを記憶してよい。場合によっては、ソフトウェア1015は、プロセッサによって直接実行可能でないことがあるが、本明細書で説明する機能をコンピュータに(たとえば、コンパイルおよび実行されたとき)実行させてよい。プロセッサ1020は、インテリジェントハードウェアデバイス(たとえば、中央処理装置(CPU)、マイクロコントローラ、特定用途向け集積回路(ASIC)など)を含んでよい。
【００９８】
上記で説明したように、トランシーバ1025は、1つまたは複数のアンテナ、有線リンク、またはワイヤレスリンクを介して、1つまたは複数のネットワークと双方向に通信してよい。たとえば、トランシーバ1025は、基地局105-eまたはUE115と双方向に通信してよい。トランシーバ1025はまた、パケットを変調するとともに被変調パケットを送信のためにアンテナに提供するための、またアンテナから受信されたパケットを復調するための、モデムを含んでよい。場合によっては、ワイヤレスデバイスは、単一のアンテナ1030を含んでよい。しかしながら、場合によっては、デバイスは、2つ以上のアンテナ1030を有してよく、2つ以上のアンテナ1030は、複数のワイヤレス送信を並行して送信または受信することが可能であってよい。
【００９９】
ECCモジュール1035は、共有スペクトルまたは無認可スペクトルを使用する通信などの拡張コンポーネントキャリア(ECC)を使用し、短縮された送信時間間隔(TTI)またはサブフレーム持続時間を使用し、あるいは多数のコンポーネントキャリア(CC)を使用する動作を可能にしてよい。
【０１００】
図11は、本開示の様々な態様による狭帯域CCCHサブバンド設計およびシグナリングをサポートするワイヤレスデバイス1100のブロック図を示す。ワイヤレスデバイス1100は、図1および図2を参照しながら説明した基地局105の態様の一例であってよい。ワイヤレスデバイス1100は、レシーバ1105、基地局狭帯域制御領域マネージャ1110、およびトランスミッタ1115を含んでよい。ワイヤレスデバイス1100はまた、プロセッサを含んでよい。これらのコンポーネントの各々は、互いに通信していてよい。
【０１０１】
レシーバ1105は、パケット、ユーザデータ、または様々な情報チャネル(たとえば、制御チャネル、データチャネル、ならびに狭帯域CCCHサブバンド設計およびシグナリングに関係する情報など)に関連する制御情報などの、情報を受信してよい。情報は、ワイヤレスデバイス1100の他のコンポーネントに伝えられてよい。レシーバ1105は、図14を参照しながら説明するトランシーバ1425の態様の一例であってよい。
【０１０２】
基地局狭帯域制御領域マネージャ1110は、共通制御領域の帯域幅および関連する周波数−時間ヌメロロジーもしくは共通制御領域の中心周波数の表示、またはデータ多重化表示を備える、制御領域情報を送信してよく、共通制御領域の帯域幅がシステム帯域幅の少なくとも一部分を備え、共通制御領域を使用して制御情報を少なくとも1つのUEへ送信してよい。基地局狭帯域制御領域マネージャ1110はまた、図14を参照しながら説明する基地局狭帯域制御領域マネージャ1405の態様の一例であってよい。
【０１０３】
トランスミッタ1115は、ワイヤレスデバイス1100の他のコンポーネントから受信された信号を送信してよい。いくつかの例では、トランスミッタ1115は、トランシーバモジュールの中にレシーバと一緒に置かれてよい。たとえば、トランスミッタ1115は、図14を参照しながら説明するトランシーバ1425の態様の一例であってよい。トランスミッタ1115は、単一のアンテナを含んでよく、または複数のアンテナを含んでよい。
【０１０４】
図12は、本開示の様々な態様による狭帯域CCCHサブバンド設計およびシグナリングをサポートするワイヤレスデバイス1200のブロック図を示す。ワイヤレスデバイス1200は、図1、図2、および図11を参照しながら説明したワイヤレスデバイス1100または基地局105の態様の一例であってよい。ワイヤレスデバイス1200は、レシーバ1205、基地局狭帯域制御領域マネージャ1210、およびトランスミッタ1225を含んでよい。ワイヤレスデバイス1200はまた、プロセッサを含んでよい。これらのコンポーネントの各々は、互いに通信していてよい。
【０１０５】
レシーバ1205は、デバイスの他のコンポーネントに伝えられてよい情報を受信してよい。レシーバ1205はまた、図11のレシーバ1105を参照しながら説明した機能を実行してよい。レシーバ1205は、図14を参照しながら説明するトランシーバ1425の態様の一例であってよい。
【０１０６】
基地局狭帯域制御領域マネージャ1210は、図11を参照しながら説明した基地局狭帯域制御領域マネージャ1110の態様の一例であってよい。基地局狭帯域制御領域マネージャ1210は、制御領域情報コンポーネント1215および制御情報コンポーネント1220を含んでよい。基地局狭帯域制御領域マネージャ1210は、図14を参照しながら説明する基地局狭帯域制御領域マネージャ1405の態様の一例であってよい。
【０１０７】
制御領域情報コンポーネント1215は、共通制御領域の帯域幅および関連する周波数−時間ヌメロロジーもしくは共通制御領域の中心周波数の表示、またはデータ多重化表示を備える、制御領域情報を送信してよく、共通制御領域の帯域幅がシステム帯域幅の少なくとも一部分を備え、共通制御領域のサブバンドを示すサブバンド割当てメッセージを送信してよく、ここで、制御情報はサブバンドを使用して送信される。
【０１０８】
場合によっては、制御領域情報は、ブロードキャストメッセージまたはCCCHの中で受信される。場合によっては、制御情報は、共通制御領域のアンカーサブバンドを使用して送信される。場合によっては、制御領域情報は、アンカーサブバンドのロケーションを備える。場合によっては、制御領域情報は、複数の制御領域サブバンド、複数の制御領域サブバンドの各々に対する帯域幅、複数の制御領域サブバンドの各々に対する周波数、またはそれらの任意の組合せの表示を備える。
【０１０９】
制御情報コンポーネント1220は、共通制御領域を使用して制御情報を少なくとも1つのUEへ送信してよい。
【０１１０】
トランスミッタ1225は、ワイヤレスデバイス1200の他のコンポーネントから受信された信号を送信してよい。いくつかの例では、トランスミッタ1225は、トランシーバモジュールの中にレシーバと一緒に置かれてよい。たとえば、トランスミッタ1225は、図14を参照しながら説明するトランシーバ1425の態様の一例であってよい。トランスミッタ1225は、単一のアンテナを利用してよく、または複数のアンテナを利用してよい。
【０１１１】
図13は、ワイヤレスデバイス1100またはワイヤレスデバイス1200の対応するコンポーネントの一例であってよい基地局狭帯域制御領域マネージャ1300のブロック図を示す。すなわち、基地局狭帯域制御領域マネージャ1300は、図11および図12を参照しながら説明した基地局狭帯域制御領域マネージャ1110または基地局狭帯域制御領域マネージャ1210の態様の一例であってよい。基地局狭帯域制御領域マネージャ1300はまた、図14を参照しながら説明する基地局狭帯域制御領域マネージャ1405の態様の一例であってよい。
【０１１２】
基地局狭帯域制御領域マネージャ1300は、制御領域情報コンポーネント1305、制御領域更新コンポーネント1310、制御情報コンポーネント1315、およびユーザデータ多重化コンポーネント1320を含んでよい。これらのモジュールの各々は、(たとえば、1つまたは複数のバスを介して)互いに直接または間接的に通信してよい。
【０１１３】
制御領域情報コンポーネント1305は、共通制御領域の帯域幅および関連する周波数−時間ヌメロロジーもしくは共通制御領域の中心周波数の表示、またはデータ多重化表示を備える、制御領域情報を送信してよく、共通制御領域の帯域幅がシステム帯域幅の少なくとも一部分を備え、共通制御領域のサブバンドを示すサブバンド割当てメッセージを送信してよく、ここで、制御情報はサブバンドを使用して送信される。
【０１１４】
制御領域更新コンポーネント1310は、共通制御領域更新メッセージを少なくとも1つのUEへ送信してよい。場合によっては、共通制御領域更新メッセージは、UE固有の制御チャネルまたはRRC構成メッセージを使用して送信される。制御情報コンポーネント1315は、共通制御領域を使用して制御情報を少なくとも1つのUEへ送信してよい。
【０１１５】
ユーザデータ多重化コンポーネント1320は、データ多重化表示に基づいて共通制御領域のシンボル期間の間にユーザデータを少なくとも1つのUEへ送信してよく、ここで、ユーザデータは、共通制御領域の帯域幅とは異なる、システム帯域幅の部分を使用して送信される。
【０１１６】
図14は、本開示の様々な態様による狭帯域CCCHサブバンド設計およびシグナリングをサポートするデバイスを含むワイヤレスシステム1400の図を示す。たとえば、システム1400は、基地局105-fを含んでよく、基地局105-fは、図1、図2、および図11〜図13を参照しながら説明したようなワイヤレスデバイス1100、ワイヤレスデバイス1200、または基地局105の一例であってよい。基地局105-fはまた、通信を送信するためのコンポーネントおよび通信を受信するためのコンポーネントを含む、双方向音声およびデータ通信のためのコンポーネントを含んでよい。たとえば、基地局105-fは、1つまたは複数のUE115-dおよび115-eと双方向に通信してよい。
【０１１７】
基地局105-fはまた、基地局狭帯域制御領域マネージャ1405、メモリ1410、プロセッサ1420、トランシーバ1425、アンテナ1430、基地局通信モジュール1435、およびネットワーク通信モジュール1440を含んでよい。これらのモジュールの各々は、(たとえば、1つまたは複数のバスを介して)互いに直接または間接的に通信してよい。基地局狭帯域制御領域マネージャ1405は、図11〜図13を参照しながら説明したような基地局狭帯域制御領域マネージャの一例であってよい。
【０１１８】
メモリ1410は、RAMおよびROMを含んでよい。メモリ1410は、実行されたとき、本明細書で説明する様々な機能(たとえば、狭帯域CCCHサブバンド設計およびシグナリングなど)をプロセッサに実行させる命令を含む、コンピュータ可読コンピュータ実行可能ソフトウェアを記憶してよい。場合によっては、ソフトウェア1415は、プロセッサによって直接実行可能でないことがあるが、本明細書で説明する機能をコンピュータに(たとえば、コンパイルおよび実行されたとき)実行させてよい。プロセッサ1420は、インテリジェントハードウェアデバイス(たとえば、CPU、マイクロコントローラ、ASICなど)を含んでよい。
【０１１９】
上記で説明したように、トランシーバ1425は、1つまたは複数のアンテナ、有線リンク、またはワイヤレスリンクを介して、1つまたは複数のネットワークと双方向に通信してよい。たとえば、トランシーバ1425は、基地局105またはUE115と双方向に通信してよい。トランシーバ1425はまた、パケットを変調するとともに被変調パケットを送信のためにアンテナに提供するための、またアンテナから受信されたパケットを復調するための、モデムを含んでよい。場合によっては、ワイヤレスデバイスは、単一のアンテナ1430を含んでよい。しかしながら、場合によっては、デバイスは、2つ以上のアンテナ1430を有してよく、2つ以上のアンテナ1430は、複数のワイヤレス送信を並行して送信または受信することが可能であってよい。
【０１２０】
基地局通信モジュール1435は、他の基地局105-gおよび105-hとの通信を管理してよく、他の基地局105-gおよび105-hと協働してUE115との通信を制御するためのコントローラまたはスケジューラを含んでよい。たとえば、基地局通信モジュール1435は、ビームフォーミングまたはジョイント送信などの様々な干渉軽減技法のために、UE115への送信のためのスケジューリングを調整してよい。いくつかの例では、基地局通信モジュール1435は、基地局105の間で通信を行うために、LTE/LTE-Aワイヤレス通信ネットワーク技術内でX2インターフェースを提供してよい。
【０１２１】
ネットワーク通信モジュール1440は、コアネットワークとの(たとえば、1つまたは複数の有線バックホールリンクを介した)通信を管理してよい。たとえば、ネットワーク通信モジュール1440は、1つまたは複数のUE115などのクライアントデバイスのためのデータ通信の転送を管理してよい。
【０１２２】
図15は、本開示の様々な態様による狭帯域CCCHサブバンド設計およびシグナリングのための方法1500を示すフローチャートを示す。方法1500の動作は、図1および図2を参照しながら説明したようなUE115などのデバイスまたはそのコンポーネントによって実施されてよい。たとえば、方法1500の動作は、本明細書で説明するような狭帯域制御領域マネージャによって実行されてよい。いくつかの例では、UE115は、以下で説明する機能を実行するようにデバイスの機能要素を制御するためのコードのセットを実行してよい。追加または代替として、UE115は、以下で説明する機能の態様を、専用ハードウェアを使用して実行してよい。
【０１２３】
ブロック1505において、UE115は、図2〜図6を参照しながら上記で説明したように、共通制御領域の帯域幅および関連する周波数−時間ヌメロロジーもしくは共通制御領域の中心周波数の表示、またはデータ多重化表示を備える、制御領域情報を受信してよく、共通制御領域の帯域幅がシステム帯域幅の少なくとも一部分を備える。いくつかの例では、ブロック1505の動作は、図8および図9を参照しながら説明したような制御領域情報コンポーネントによって実行されてよい。
【０１２４】
ブロック1510において、UE115は、図2〜図6を参照しながら上記で説明したように、制御領域情報に基づいて共通制御領域を監視してよい。いくつかの例では、ブロック1510の動作は、図8および図9を参照しながら説明したような制御領域監視コンポーネントによって実行されてよい。
【０１２５】
図16は、本開示の様々な態様による狭帯域CCCHサブバンド設計およびシグナリングのための方法1600を示すフローチャートを示す。方法1600の動作は、図1および図2を参照しながら説明したようなUE115などのデバイスまたはそのコンポーネントによって実施されてよい。たとえば、方法1600の動作は、本明細書で説明するような狭帯域制御領域マネージャによって実行されてよい。いくつかの例では、UE115は、以下で説明する機能を実行するようにデバイスの機能要素を制御するためのコードのセットを実行してよい。追加または代替として、UE115は、以下で説明する機能の態様を、専用ハードウェアを使用して実行してよい。
【０１２６】
ブロック1605において、UE115は、図2〜図6を参照しながら上記で説明したように、共通制御領域の帯域幅および関連する周波数−時間ヌメロロジーもしくは共通制御領域の中心周波数の表示、またはデータ多重化表示を備える、制御領域情報を受信してよく、共通制御領域の帯域幅がシステム帯域幅の少なくとも一部分を備える。いくつかの例では、ブロック1605の動作は、図8および図9を参照しながら説明したような制御領域情報コンポーネントによって実行されてよい。
【０１２７】
ブロック1610において、UE115は、図2〜図6を参照しながら上記で説明したように、制御領域情報に基づいて共通制御領域を監視してよい。いくつかの例では、ブロック1610の動作は、図8および図9を参照しながら説明したような制御領域監視コンポーネントによって実行されてよい。
【０１２８】
ブロック1615において、UE115は、図2〜図6を参照しながら上記で説明したように、データ多重化表示に基づいて共通制御領域のシンボル期間の間にユーザデータを受信してよく、ここで、ユーザデータは、共通制御領域の帯域幅とは異なる、システム帯域幅の部分を使用して受信される。いくつかの例では、ブロック1615の動作は、図8および図9を参照しながら説明したようなデータ多重化コンポーネントによって実行されてよい。
【０１２９】
図17は、本開示の様々な態様による狭帯域CCCHサブバンド設計およびシグナリングのための方法1700を示すフローチャートを示す。方法1700の動作は、図1および図2を参照しながら説明したようなUE115などのデバイスまたはそのコンポーネントによって実施されてよい。たとえば、方法1700の動作は、本明細書で説明するような狭帯域制御領域マネージャによって実行されてよい。いくつかの例では、UE115は、以下で説明する機能を実行するようにデバイスの機能要素を制御するためのコードのセットを実行してよい。追加または代替として、UE115は、以下で説明する機能の態様を、専用ハードウェアを使用して実行してよい。
【０１３０】
ブロック1705において、UE115は、図2〜図6を参照しながら上記で説明したように、共通制御領域の帯域幅および関連する周波数−時間ヌメロロジーもしくは共通制御領域の中心周波数の表示、またはデータ多重化表示を備える、制御領域情報を受信してよく、共通制御領域の帯域幅がシステム帯域幅の少なくとも一部分を備える。いくつかの例では、ブロック1705の動作は、図8および図9を参照しながら説明したような制御領域情報コンポーネントによって実行されてよい。
【０１３１】
ブロック1710において、UE115は、図2〜図6を参照しながら上記で説明したように、制御領域情報に基づいて共通制御領域を監視してよい。いくつかの例では、ブロック1710の動作は、図8および図9を参照しながら説明したような制御領域監視コンポーネントによって実行されてよい。
【０１３２】
ブロック1715において、UE115は、図2〜図6を参照しながら上記で説明したように、共通制御領域更新メッセージを受信してよい。いくつかの例では、ブロック1715の動作は、図8および図9を参照しながら説明したような制御領域更新コンポーネントによって実行されてよい。
【０１３３】
図18は、本開示の様々な態様による狭帯域CCCHサブバンド設計およびシグナリングのための方法1800を示すフローチャートを示す。方法1800の動作は、図1および図2を参照しながら説明したようなUE115などのデバイスまたはそのコンポーネントによって実施されてよい。たとえば、方法1800の動作は、本明細書で説明するような狭帯域制御領域マネージャによって実行されてよい。いくつかの例では、UE115は、以下で説明する機能を実行するようにデバイスの機能要素を制御するためのコードのセットを実行してよい。追加または代替として、UE115は、以下で説明する機能の態様を、専用ハードウェアを使用して実行してよい。
【０１３４】
ブロック1805において、UE115は、図2〜図6を参照しながら上記で説明したように、共通制御領域の帯域幅および関連する周波数−時間ヌメロロジーもしくは共通制御領域の中心周波数の表示、またはデータ多重化表示を備える、制御領域情報を受信してよく、共通制御領域の帯域幅がシステム帯域幅の少なくとも一部分を備える。いくつかの例では、ブロック1805の動作は、図8および図9を参照しながら説明したような制御領域情報コンポーネントによって実行されてよい。
【０１３５】
ブロック1810において、UE115は、図2〜図6を参照しながら上記で説明したように、制御領域情報に基づいて共通制御領域を監視してよい。いくつかの例では、ブロック1810の動作は、図8および図9を参照しながら説明したような制御領域監視コンポーネントによって実行されてよい。
【０１３６】
ブロック1815において、UE115は、図2〜図6を参照しながら上記で説明したように、共通制御領域のサブバンドを示す割当てメッセージを受信してよい。いくつかの例では、ブロック1815の動作は、図8および図9を参照しながら説明したようなサブバンド監視コンポーネントによって実行されてよい。
【０１３７】
ブロック1820において、UE115は、図2〜図6を参照しながら上記で説明したように、割当てメッセージに基づいてサブバンドを監視してよい。いくつかの例では、ブロック1820の動作は、図8および図9を参照しながら説明したようなサブバンド監視コンポーネントによって実行されてよい。
【０１３８】
図19は、本開示の様々な態様による狭帯域CCCHサブバンド設計およびシグナリングのための方法1900を示すフローチャートを示す。方法1900の動作は、図1および図2を参照しながら説明したような基地局105などのデバイスまたはそのコンポーネントによって実施されてよい。たとえば、方法1900の動作は、本明細書で説明するような基地局狭帯域制御領域マネージャによって実行されてよい。いくつかの例では、基地局105は、以下で説明する機能を実行するようにデバイスの機能要素を制御するためのコードのセットを実行してよい。追加または代替として、基地局105は、以下で説明する機能の態様を、専用ハードウェアを使用して実行してよい。
【０１３９】
ブロック1905において、基地局105は、図2〜図6を参照しながら上記で説明したように、共通制御領域の帯域幅および関連する周波数−時間ヌメロロジーもしくは共通制御領域の中心周波数の表示、またはデータ多重化表示を備える、制御領域情報を送信してよく、共通制御領域の帯域幅がシステム帯域幅の少なくとも一部分を備える。いくつかの例では、ブロック1905の動作は、図12および図13を参照しながら説明したような制御領域情報コンポーネントによって実行されてよい。
【０１４０】
ブロック1910において、基地局105は、図2〜図6を参照しながら上記で説明したように、共通制御領域を使用して制御情報を少なくとも1つのUEへ送信してよい。いくつかの例では、ブロック1910の動作は、図12および図13を参照しながら説明したような制御情報コンポーネントによって実行されてよい。
【０１４１】
これらの方法が、可能な実装形態を説明すること、ならびに動作およびステップは他の実装形態が可能であるように並べ替えられてよく、または別の方法で変更されてよいことに留意されたい。いくつかの例では、本方法のうちの2つ以上からの態様が組み合わせられてよい。たとえば、方法の各々の態様は、他の方法の動作もしくは態様、または本明細書で説明した他の動作もしくは技法を含んでよい。したがって、本開示の態様は、狭帯域CCCHサブバンド設計およびシグナリングを提供してよい。
【０１４２】
本明細書での説明は、当業者が本開示を作成または使用することを可能にするために与えられる。本開示の様々な変更は、当業者には容易に明らかになり、本明細書で定義される一般原理は、本開示の範囲から逸脱することなく他の変形形態に適用されてよい。したがって、本開示は、本明細書で説明した例および設計に限定されるべきではなく、本明細書で開示する原理および新規の特徴と一致する最も広い範囲が与えられるべきである。
【０１４３】
本明細書で説明した機能は、ハードウェア、プロセッサによって実行されるソフトウェア、ファームウェア、またはそれらの任意の組合せで実装されてよい。プロセッサによって実行されるソフトウェアで実装される場合、機能は、1つまたは複数の命令またはコードとして、コンピュータ可読媒体上に記憶されてよく、またはコンピュータ可読媒体を介して送信されてよい。他の例および実装形態が、本開示の範囲内および添付の特許請求の範囲内に入る。たとえば、ソフトウェアの性質に起因して、上記で説明した機能は、プロセッサ、ハードウェア、ファームウェア、ハードワイヤリング、またはこれらのうちのいずれかの組合せによって実行されるソフトウェアを使用して実装されることが可能である。機能を実施する特徴はまた、異なる物理ロケーションにおいて機能の部分が実装されるように分散されることを含めて、様々な位置に物理的に配置されてよい。また、特許請求の範囲内を含む本明細書で使用するとき、項目のリスト(たとえば、「のうちの少なくとも1つ」または「1つまたは複数の」などの句を伴う項目のリスト)において使用されるような「または」は、たとえば、A、B、またはCのうちの少なくとも1つというリストが、AまたはBまたはCまたはABまたはACまたはBCまたはABC(すなわち、AおよびBおよびC)を意味するような包括的リストを示す。
【０１４４】
コンピュータ可読媒体は、ある場所から別の場所へのコンピュータプログラムの転送を容易にする任意の媒体を含む、非一時的コンピュータ記憶媒体と通信媒体の両方を含む。非一時的記憶媒体は、汎用コンピュータまたは専用コンピュータによってアクセスされることが可能である、任意の利用可能な媒体であってよい。限定ではなく例として、非一時的コンピュータ可読媒体は、RAM、ROM、電気的消去可能プログラマブル読取り専用メモリ(EEPROM)、コンパクトディスク(CD)ROMまたは他の光ディスクストレージ、磁気ディスクストレージまたは他の磁気記憶デバイス、あるいは命令またはデータ構造の形態の所望のプログラムコード手段を担持または記憶するために使用されることが可能であり、汎用コンピュータもしくは専用コンピュータまたは汎用プロセッサもしくは専用プロセッサによってアクセスされることが可能である、任意の他の非一時的媒体を備えることができる。また、任意の接続が、コンピュータ可読媒体と適切に呼ばれる。たとえば、ソフトウェアが、同軸ケーブル、光ファイバケーブル、ツイストペア、デジタル加入者回線(DSL)、または赤外線、無線、およびマイクロ波などのワイヤレス技術を使用して、ウェブサイト、サーバ、または他のリモートソースから送信される場合、同軸ケーブル、光ファイバケーブル、ツイストペア、DSL、または赤外線、無線、およびマイクロ波などのワイヤレス技術は媒体の定義に含まれる。本明細書で使用するディスク(disk)およびディスク(disc)は、CD、レーザーディスク(disc)(登録商標)、光ディスク(disc)、デジタル多用途ディスク(disc)(DVD)、フロッピーディスク(disk)、およびBlu-ray(登録商標)ディスク(disc)を含み、ディスク(disk)は、通常、データを磁気的に再生し、ディスク(disc)は、レーザーを用いてデータを光学的に再生する。上記のものの組合せも、コンピュータ可読媒体の範囲内に含まれる。
【０１４５】
本明細書で説明した技法は、CDMA、TDMA、FDMA、OFDMA、シングルキャリア周波数分割多元接続(SC-FDMA)、および他のシステムなどの、様々なワイヤレス通信システムのために使用されてよい。「システム」および「ネットワーク」という用語は、しばしば、互換的に使用される。CDMAシステムは、CDMA2000、ユニバーサル地上波無線アクセス(UTRA)などの無線技術を実施してよい。CDMA2000は、IS-2000規格、IS-95規格、およびIS-856規格をカバーする。IS-2000リリース0およびAは、通常、CDMA2000 1X、1Xなどと呼ばれる。IS-856(TIA-856)は、通常、CDMA2000 1xEV-DO、高速パケットデータ(HRPD)などと呼ばれる。UTRAは、ワイドバンドCDMA(WCDMA(登録商標))、およびCDMAの他の変形態を含む。TDMAシステムは、(モバイル通信用グローバルシステム(GSM(登録商標)))などの無線技術を実施してよい。OFDMAシステムは、ウルトラモバイルブロードバンド(UMB)、発展型UTRA(E-UTRA)、IEEE802.11、IEEE802.16(WiMAX)、IEEE802.20、Flash-OFDMなどの無線技術を実施してよい。UTRAおよびE-UTRAは、ユニバーサル移動電気通信システム(ユニバーサル移動電気通信システム(UMTS))の一部である。3GPP LTEおよびLTE-advanced(LTE-A)は、E-UTRAを使用するUMTSの新たなリリースである。UTRA、E-UTRA、UMTS、LTE、LTE-a、およびGSM(登録商標)は、「第3世代パートナーシッププロジェクト」(3GPP)と称する団体からの文書に記載されている。CDMA2000およびUMBは、「第3世代パートナーシッププロジェクト2」(3GPP2)と称する団体からの文書に記載されている。本明細書で説明した技法は、上述のシステムおよび無線技術ならびに他のシステムおよび無線技術のために使用されてよい。しかしながら、本明細書での説明は例としてLTEシステムを説明し、上の説明の大部分でLTE用語が使用されるが、本技法は、LTE適用例以外に適用可能である。
【０１４６】
本明細書で説明したネットワークを含むLTE/LTE-Aネットワークでは、eNBという用語は、概して、基地局を表すために使用されてよい。本明細書で説明した1つまたは複数のワイヤレス通信システムは、異なるタイプのeNBが様々な地理的領域にカバレージを提供する異種LTE/LTE-Aネットワークを含んでよい。たとえば、各eNBまたは基地局は、マクロセル、スモールセル、または他のタイプのセルに通信カバレージを提供してよい。「セル」という用語は、コンテキストに応じて、基地局、基地局に関連するキャリアもしくはCC、またはキャリアもしくは基地局のカバレージエリア(たとえば、セクタなど)を表すために使用されることが可能である3GPP用語である。
【０１４７】
基地局は、トランシーバ基地局、無線基地局、アクセスポイント(AP)、無線トランシーバ、ノードB、eノードB、ホームノードB、ホームeノードB、または何らかの他の好適な用語を含んでよく、または当業者によってそのように呼ばれることがある。基地局のための地理的カバレージエリアは、カバレージエリアの一部分のみを構成するセクタに分割されてよい。本明細書で説明した1つまたは複数のワイヤレス通信システムは、異なるタイプの基地局(たとえば、マクロセル基地局またはスモールセル基地局)を含んでよい。本明細書で説明したUEは、マクロeNB、スモールセルeNB、中継基地局などを含む、様々なタイプの基地局およびネットワーク機器と通信できる場合がある。異なる技術のためのオーバーラップする地理的カバレージエリアがあってよい。場合によっては、異なるカバレージエリアが、異なる通信技術に関連してよい。場合によっては、ある通信技術のためのカバレージエリアが、別の技術に関連するカバレージエリアとオーバーラップしてよい。異なる技術が、同じ基地局または異なる基地局に関連してよい。
【０１４８】
本明細書で説明したDL送信は、順方向リンク送信と呼ばれることもあり、UL送信は、逆方向リンク送信と呼ばれることもある。たとえば、図1および図2のワイヤレス通信システム100および200を含む、本明細書で説明した各通信リンクは、1つまたは複数のキャリアを含んでよく、ここで、各キャリアは、複数のサブキャリア(たとえば、異なる周波数の波形信号)から構成される信号であってよい。各被変調信号は、異なるサブキャリア上で送信されてよく、制御情報(たとえば、基準信号、制御チャネルなど)、オーバーヘッド情報、ユーザデータなどを搬送してよい。本明細書で説明した通信リンク(たとえば、図1の通信リンク125)は、(たとえば、対スペクトルリソースを使用する)FDD動作、または(たとえば、不対スペクトルリソースを使用する)TDD動作を使用して、双方向通信を送信してよい。フレーム構造が、FDD(たとえば、フレーム構造タイプ1)およびTDD(たとえば、フレーム構造タイプ2)のために定義されてよい。
【０１４９】
したがって、本開示の態様は、狭帯域CCCHサブバンド設計およびシグナリングを提供してよい。これらの方法が、可能な実装形態を説明すること、ならびに動作およびステップは他の実装形態が可能であるように並べ替えられてよく、または別の方法で変更されてよいことに留意されたい。いくつかの例では、本方法のうちの2つ以上からの態様が組み合わせられてよい。
【０１５０】
本明細書の開示に関して説明した様々な例示的なブロックおよびモジュールは、汎用プロセッサ、デジタル信号プロセッサ(DSP)、ASIC、フィールドプログラマブルゲートアレイ(FPGA)もしくは他のプログラマブル論理デバイス、個別ゲートもしくはトランジスタ論理、個別ハードウェアコンポーネント、または本明細書で説明した機能を実行するように設計されたそれらの任意の組合せを用いて実装または実行されてよい。汎用プロセッサはマイクロプロセッサであってよいが、代替として、プロセッサは、任意の従来のプロセッサ、コントローラ、マイクロコントローラ、またはステートマシンであってよい。プロセッサはまた、コンピューティングデバイスの組合せ(たとえば、DSPとマイクロプロセッサとの組合せ、複数のマイクロプロセッサ、DSPコアと連携する1つもしくは複数のマイクロプロセッサ、または他の任意のそのような構成)として実装されてよい。したがって、本明細書で説明した機能は、1つまたは複数の他の処理ユニット(または、コア)によって、少なくとも1つの集積回路(IC)上で実行されてよい。様々な例では、当技術分野で知られている任意の方法でプログラムされてよい様々なタイプのIC(たとえば、構造化/プラットフォームASIC、FPGA、または別のセミカスタムIC)が使用されてよい。各ユニットの機能はまた、全体的または部分的に、1つまたは複数の汎用プロセッサまたは特定用途向けプロセッサによって実行されるようにフォーマットされた、メモリの中に組み込まれた命令を用いて実施されてよい。
【０１５１】
添付の図面において、類似のコンポーネントまたは特徴は、同じ参照符号を有することがある。さらに、同じタイプの様々なコンポーネントは、類似のコンポーネントを区別するダッシュおよび第2の符号を参照符号に続けることによって区別されることがある。第1の参照符号のみが本明細書で使用される場合、説明は、第2の参照符号にかかわらず、同じ第1の参照符号を有する類似のコンポーネントのうちのいずれにも適用可能である。
【符号の説明】
【０１５２】
100  ワイヤレス通信システム
101  狭帯域制御領域マネージャ
102  基地局狭帯域制御領域マネージャ
105  基地局、ネットワークアクセスデバイス
115  ユーザ機器
125  通信リンク
130  コアネットワーク
132  バックホールリンク
134  バックホールリンク
200  ワイヤレス通信システム
201  狭帯域制御領域マネージャ
202  基地局狭帯域制御領域マネージャ
300  PHYレイヤ構造
301  TTI
305  共有データ領域
310  アップリンク領域
315  共通制御領域
400  PHYレイヤ構造
401  サブバンド
402  サブバンド
403  サブバンド
405  システム帯域幅
410  共通制御領域
415  TTI
500  PHYレイヤ構造
501  サブバンド
502  サブバンド
503  サブバンド
510  共通制御領域
515  TTI
520  レシーバ帯域幅
525  リソース
600  PHYレイヤ構造
601  サブバンド
602  サブバンド
603  サブバンド
605  システム帯域幅
610  共通制御領域
615  TTI
620  レシーバ帯域幅
625  リソース
630  帯域幅
635  リソース
700  ワイヤレスデバイス
705  レシーバ
710  狭帯域制御領域マネージャ
715  トランスミッタ
800  ワイヤレスデバイス
805  レシーバ
810  狭帯域制御領域マネージャ
815  制御領域情報コンポーネント
820  制御領域監視コンポーネント
825  トランスミッタ
900  狭帯域制御領域マネージャ
905  制御領域情報コンポーネント
910  制御領域更新コンポーネント
915  サブバンド監視コンポーネント
920  制御領域監視コンポーネント
925  データ多重化コンポーネント
1000  システム
1005  狭帯域制御領域マネージャ
1010  メモリ
1015  ソフトウェア
1020  プロセッサ
1025  トランシーバ
1030  アンテナ
1035  ECCモジュール
1100  ワイヤレスデバイス
1105  レシーバ
1110  基地局狭帯域制御領域マネージャ
1115  トランスミッタ
1200  ワイヤレスデバイス
1205  レシーバ
1210  基地局狭帯域制御領域マネージャ
1215  制御領域情報コンポーネント
1220  制御情報コンポーネント
1225  トランスミッタ
1300  基地局狭帯域制御領域マネージャ
1305  制御領域情報コンポーネント
1310  制御領域更新コンポーネント
1315  制御情報コンポーネント
1320  ユーザデータ多重化コンポーネント
1400  ワイヤレスシステム
1405  基地局狭帯域制御領域マネージャ
1410  メモリ
1415  ソフトウェア
1420  プロセッサ
1425  トランシーバ
1430  アンテナ
1435  基地局通信モジュール
1440  ネットワーク通信モジュール
【図１】
2019503131.tif 000003
【図２】
2019503131.tif 000004
【図３】
2019503131.tif 000005
【図４】
2019503131.tif 000006
【図５】
2019503131.tif 000007
【図６】
2019503131.tif 000008
【図７】
2019503131.tif 000009
【図８】
2019503131.tif 000010
【図９】
2019503131.tif 000011
【図１０】
2019503131.tif 000012
【図１１】
2019503131.tif 000013
【図１２】
2019503131.tif 000014
【図１３】
2019503131.tif 000015
【図１４】
2019503131.tif 000016
【図１５】
2019503131.tif 000017
【図１６】
2019503131.tif 000018
【図１７】
2019503131.tif 000019
【図１８】
2019503131.tif 000020
【図１９】
2019503131.tif 000021
【国際調査報告】
2019503131.tif 000022
2019503131.tif 000023
2019503131.tif 000024